(57)【特許請求の範囲】
【請求項１】
複数のセクタをランドトラック及びグルーブトラックに備えた情報記録媒体において、
前記複数のセクタは、アドレス情報領域及びデータ領域を有しており、
前記アドレス情報領域は、複数のアドレス部を有しており、
前記複数のアドレス部は、左右隣合うランドトラック及びグルーブトラックの境界部分に設けられる第１のアドレス部と、前記アドレス部が設けられている前記左右隣合うランドトラック及びグルーブトラックの境界部分に対してさらに左右隣合う境界部分に設けられる第２のアドレス部とを有しており、
前記複数のアドレス部において、前記第１のアドレス部及び第２のアドレス部の各々は、前記複数のセクタのうちの自セクタの位置を示す情報が記録されている部分と、同一のアドレス情報領域内に含まれる他のアドレス部から自アドレス部を識別するための情報が記録されている部分とを有しており、
第１のランドトラックと、この第１のランドトラックに隣接する第１のグルーブトラックと、この第１のグルーブトラックに隣接する第２のランドトラックと、この第２のランドトラックに隣接する第２のグルーブトラックとにおける前記複数のアドレス部において、前記第１のランドトラックと前記第１のグルーブトラックの境界部分に設けられた前記第１のアドレス部における前記自セクタの位置を示す情報と、前記第１のグルーブトラックと前記第２のランドトラックの境界部分に設けられた前記第２のアドレス部における前記自セクタの位置を示す情報と、前記第２のランドトラックと前記第２のグルーブトラックの境界部分に設けられた前記第１のアドレス部における前記自セクタの位置を示す情報とは、順次１トラック分だけトラックが異なることを示す情報であることを特徴とする情報記録媒体。
【請求項２】
請求項１記載の情報記録媒体において、
前記第１のアドレス部及び第２のアドレス部は、同一の前記アドレス情報領域内に各々複数個設けられていることを特徴とする情報記録媒体。
【請求項３】
請求項１又は２記載の情報記録媒体において、
前記ランドトラック及びグルーブトラックは、自情報記録媒体の半径方向に複数個のトラックに分割されており、
前記複数のトラックの各々は、自情報記録媒体の円周方向にＮ個のセクタに分割されていることを特徴とする情報記録媒体。
【請求項４】
請求項３記載の情報記録媒体において、
前記自セクタの位置を示す情報が記録されている部分は、自情報記録媒体の半径方向の位置を示す情報が記録されているトラック情報部と、自情報記録媒体の円周方向の位置を示す情報が記録されているセクタ情報部とを有することを特徴とする情報記録媒体。
【請求項５】
請求項１乃至４記載の情報記録媒体において、
前記アドレス情報領域は、複数のプリピットに記録されているものであることを特徴とする情報記録媒体。
【請求項６】
請求項１乃至５記載の情報記録媒体において、
前記複数のアドレス部は、左右隣合うランドトラック及びグルーブトラックの境界部分に設けられた複数のプリピットに記録されるものであることを特徴とする情報記録媒体。
【発明の詳細な説明】
【０００１】
【発明の属する技術分野】
本発明は、情報記録媒体に係り、特に、トラックピッチの狭い高密度タイプの情報記録媒体に関する。
【０００２】
【従来の技術】
トラックピッチの狭い高密度タイプの情報記録媒体としては、例えば、特開平６−１７６４０４号公報に記載されているように、光ディスクの案内溝（以下、「グル−ブ」と称する）と、グルーブに挟まれる凸部（以下、「ランド」と称する）の両方に情報を記録する情報記録媒体が知られている。
【０００３】
この情報記録媒体においては、グル−ブとランドを一対とし、この一対のグル−ブとランドの境界部の仮想延長線上にプリピットを配置している。記録領域を示すアドレス情報（ＩＤ番号）はこのプリピットに担わせ、かつ、一つのプリピットで一対のランドとグル−ブに対するアドレス情報を共用することにより、記録情報をランドとグル−ブの両方に記録するようにしている。
【０００４】
【発明が解決しようとする課題】
しかしながら、従来の情報記録媒体においては、一つのプリピットで一対のランドとグル−ブに対するアドレス情報を共用しているため、再生時にアドレス情報を正しく読めた場合でも、このアドレス情報に対応するランド部のセクタとグル−ブ部のセクタの区別ができないという問題があった。
【０００５】
ランド部とグルーブ部の区別ができないと、例えば，情報書込み（ＷＲ）中に記録再生装置に衝撃が加わってトラックはずれが発生し、同じプリピットのＩＤを共有するランドからグル−ブにレ−ザスポットが移動しても、これを検出できないことになる。
【０００６】
また、記録再生装置の故障やマイクロプロセッサ−（ＭＰＵ）のソフトウエアの設計ミス等により、ランドとグル−ブの指示が逆に設定された場合、情報記録媒体上のアドレス情報からは、これらの誤りを検出できないことになる。例えば、ランドの再生時に、誤ってグル−ブに位置づけた場合、このランドと同じアドレス部を共有するグル−ブを再生し、上位装置が要求したものと異なるデ−タを転送することになる。同様に、ランドの記録時に誤ってグル−ブに位置づけた場合、このランドと同じＩＤを共有するグル−ブにデ−タを記録し、このグル−ブに既にデ−タが記録されていた場合には２重書きとなり、以前に記録されたデ−タは破壊されることになる。
【０００７】
以上のような問題は、一つのプリピットで一対のランドとグル−ブに対するアドレス情報を共用する場合に限らず、トラックピッチを狭くして高密度を図った情報記録媒体において、一対のトラックの境界部の仮想延長線上にプリピットを配置して、一つのプリピットにより一対のトラックのアドレス情報を共用する場合にも生ずるものである。即ち、一つのプリピットにより一対のトラックのアドレス情報を共用する場合においても、再生時にアドレス情報を正しく読めたとしても、このアドレス情報に対応する一対のトラックの区別ができないという問題があった。
【０００８】
本発明の目的は、トラックピッチの狭い高密度タイプであって、しかも、トラックの区別が可能な情報記録媒体を提供することにある。
【０００９】
【課題を解決するための手段】
上記目的を達成するために、本発明は、複数のセクタをランドトラック及びグルーブトラックに備えた情報記録媒体において、前記複数のセクタは、アドレス情報領域及びデータ領域を有しており、前記アドレス情報領域は、複数のアドレス部を有しており、前記複数のアドレス部は、左右隣合うランドトラック及びグルーブトラックの境界部分に設けられる第１のアドレス部と、前記アドレス部が設けられている前記左右隣合うランドトラック及びグルーブトラックの境界部分に対してさらに左右隣合う境界部分に設けられる第２のアドレス部とを有しており、前記複数のアドレス部において、前記第１のアドレス部及び第２のアドレス部の各々は、前記複数のセクタのうちの自セクタの位置を示す情報が記録されている部分と、同一のアドレス情報領域内に含まれる他のアドレス部から自アドレス部を識別するための情報が記録されている部分とを有しており、第１のランドトラックと、この第１のランドトラックに隣接する第１のグルーブトラックと、この第１のグルーブトラックに隣接する第２のランドトラックと、この第２のランドトラックに隣接する第２のグルーブトラックとにおける前記複数のアドレス部において、前記第１のランドトラックと前記第１のグルーブトラックの境界部分に設けられた前記第１のアドレス部における前記自セクタの位置を示す情報と、前記第１のグルーブトラックと前記第２のランドトラックの境界部分に設けられた前記第２のアドレス部における前記自セクタの位置を示す情報と、前記第２のランドトラックと前記第２のグルーブトラックの境界部分に設けられた前記第１のアドレス部における前記自セクタの位置を示す情報とは、順次１トラック分だけトラックが異なることを示す情報であり、かかる構成により、トラックの区別をし得るものとなる。
【００１０】
上記情報記録媒体において、好ましくは、前記第１のアドレス部及び第２のアドレス部は、同一の前記アドレス情報領域内に各々複数個設けられているようにしたものである。
【００１１】
上記情報記録媒体において、好ましくは、前記ランドトラック及びグルーブトラックは、自情報記録媒体の半径方向に複数個のトラックに分割されており、前記複数のトラックの各々は、自情報記録媒体の円周方向にＮ個のセクタに分割されているようにしたものである。
【００１２】
上記情報記録媒体において、好ましくは、前記自セクタの位置を示す情報が記録されている部分は、自情報記録媒体の半径方向の位置を示す情報が記録されているトラック情報部と、自情報記録媒体の円周方向の位置を示す情報が記録されているセクタ情報部とを有するようにしたものである。
【００１３】
上記情報記録媒体において、好ましくは、前記アドレス情報領域は、複数のプリピットに記録されているようにしたものである。
【００１４】
上記情報記録媒体において、好ましくは、前記複数のアドレス部は、左右隣合うランドトラック及びグルーブトラックの境界部分に設けられた複数のプリピットに記録されるようにしたものである。
【００１７】
【発明の実施の形態】
以下、図１〜図５を用いて、本発明の一実施形態による情報記録媒体及びそれを用いた記録再生装置について説明する。
図１は、本発明の一実施形態による情報記録媒体である光ディスクの記録トラックの説明図である。
本実施形態における光ディスクは、２スパイラル方式のランド／グル−ブ記録方式の光ディスクである。光ディスクとしては、相変化型，追記型，或いは光磁気型の光ディスクのいずれであってもよい。
【００１８】
円盤状の光ディスク１０の表面には、トラッキング制御用の案内溝となる凹部形状のグルーブ４がスパイラル状に形成されている。スパイラル状のグルーブ４の間は、凸部形状のランド５がスパイラル状に形成されている。従って、グルーブ４及びランド５がスパイラル形状に形成されている２スパイラル形式となっている。グルーブ４及びランド５は、それぞれ情報を記録する記録トラックＴＲ−（Ｎ−２），ＴＲ−（Ｎ−１），ＴＲ−Ｎ，ＴＲ−（Ｎ＋１），ＴＲ−（Ｎ＋２）として用いられるランド／グル−ブ記録方式である。各トラックＴＲは、円周方向に分割されており、Ｎ個のセクタＳＥＣ−１，ＳＥＣ−２，ＳＥＣ−３，…，ＳＥＣ−（Ｎ−１），ＳＥＣ−Ｎによって構成されている。
【００１９】
次に、図２を用いて、光ディスクのプリピットの詳細構成について説明する。図２は、本発明の一実施形態による光ディスクの表面のプリピット部近傍の部分拡大図である。
【００２０】
光ディスクの上のトラックは、円周方向にデータ部１とＩＤ部２に分けられている。ＩＤ部２と、このＩＤ部２に続くデータ部１により、図１に示した一つのセクタＳＥＣを構成している。デ−タ部１には、光ディスクの半径方向に、凸部形状のランド４と凹部形状のグル−ブ５が交互に配置されており、ランド４とグル−ブ５の両方の領域に記録マ−ク６が記録される。すなわち、ランド４，グル−ブ５は、共に記録領域である。
【００２１】
ＩＤ部２には、溝（凹部）は形成されておらず、ランド４とグル−ブ５の境界部の仮想延長線上に、プリピット７が配置されている。プリピット７は、ランド４とグル−ブ５の境界部の仮想延長線上に、必ず配置されている。ＩＤ部２は、ＩＤ１部３０１，ＩＤ２部３０２，及びセクタマ−ク部３０５とから構成されている。プリピット７は、ＩＤ１部３０１とセクタマ−ク３０５において、ランド４の中心線に対して図中下側に配置され、ＩＤ２部３０２において、ランド４の中心線に対して図中上側に配置されている。そして、ＩＤ１部３０１とＩＤ２部３０２は、光ディスクの円周方向（トラック方向）においては、異なる位置に配置されている。
【００２２】
ＩＤ１部３０１とＩＤ２部３０２は、それぞれ、ＶＦＯ部３０６，同期マ−ク３０７，アドレス番号３１２，及びＣＲＣ部３１１とから構成されている。ＶＦＯ部３０６には、記録媒体からの再生信号に同期した再生クロックを生成するための繰り返しパタ−ンが記録されている。同期マ−ク３０７には、アドレス番号３１２の開始位置を示す所定のパタ−ンが記録されている。
【００２３】
また、アドレス番号３１２は、トラック番号３０８，ＩＤ識別番号３０９，及びセクタ番号３１０とから構成されている。トラック番号３０８には、光ディスクの半径方向の位置を示す情報が記録されている。ＩＤ識別番号３０９には、ＩＤ１部３０１とＩＤ２部３０２を識別するための情報を記録されている。ＩＤ識別番号３０９は、例えば、ＩＤ１部３０１では”０”が記録され、ＩＤ２部３０２では”１”が記録されている。セクタ番号３１０には、トラックの円周方向の位置を示す情報が記録されている。
【００２４】
ランド４のＩＤ１部３０１とＩＤ２部３０２のトラック番号３０９には、同じトラック番号を記録してある。即ち、例えば、トラック番号１ランド２０３のＩＤ１部３０１には、トラック番号”１”が記録され、ＩＤ２部３０２にも、同じトラック番号”１”が記録されている。
【００２５】
一方、グル−ブ５のＩＤ１部３０１は、図中上側のランド４とプリピット７を共用し、また、ＩＤ２部３０２は、図中下側のランド４とプリピットを共用している。従って、グル−ブ５のＩＤ１部３０１とＩＤ２部３０２とのトラック番号は、異なっており、１番違うトラック番号となっている。即ち、例えば、トラック番号０グル−ブ２０２のＩＤ１部３０１には、はトラック番号”０”が記録され、ＩＤ２部３０２には、異なるトラック番号”１”が記録されている。
【００２６】
以上説明したように、本実施形態におては、ＩＤ１部及びＩＤ２部は、それぞれ隣合うトラックとの境界部に配置されているとともに、上記トラック方向の異なる位置に配置されている。即ち、ランドとこれに隣接する左右両隣のグル−ブとの境界の延長線上にＩＤ１部を含むプリピットを設け、同様にグル−ブと、その両隣のランドとの境界の延長線上にＩＤ２部を含むプリピットを設ける。また、ランド及びグル−ブ共に同一位置の両側にはプリピットが存在しないように配置する。このように、ランドの両側及びグル−ブの両側にプリピット配置して、トラックオフセットを低減すると共に、同一位置にプリピットが存在しないように配置することにより、クロスト−クを低減することができる。
【００２７】
本実施形態による情報記録媒体によれば、トラックの区別をできるものとなる。
【００２８】
また、トラックオフセットを低減できるとともに、クロストークを低減できるものとなる。
【００２９】
次に、図３を用いて、本発明の一実施形態による光ディスク装置について説明する。
図３は、本発明の一実施形態による記録再生装置である光ディスク装置のブロック図である。
【００３０】
ＩＤ部２の再生時には、レ−ザ光源５７から出射したレ−ザ光を光ディスク１０に照射し、その反射光を受光部５８で受光する。レ−ザ光源５７と受光部５８は、光ヘッド部を構成している。受光部５８は、光ディスク１０上に予め形成されている図２に示したプリピットのパタ−ンを反射光の強弱の変化として検知し、これを信号として検出する。ここでは図示していないが、受光部５８の後には、検出した微弱な信号を増幅するプリアンプ部やプリアンプ部の出力を所定の振幅に自動調整するＡＧＣ（Ａｕｔｏ  Ｇａｉｎ  Ｃｏｎｔｒｏｌ）部や、ＡＧＣ部の出力信号と同期した再生クロックを生成するＰＬＬ部等が設けられる。受光部５８の出力信号は、プリアンプ部やＡＧＣ部やＰＬＬ部で処理されて、再生信号３１となる。再生信号３１には、ＩＤ部２に予め形成されているプリピット７に対応したパルス信号が再生される。
【００３１】
再生信号３１は、復調回路７５，ＩＤ１検出回路５９，ＩＤ２検出回路６０及びセクタマ−ク検出回路６１に送出される。
セクタマ−ク検出回路６１は、各セクタの先頭にあるＩＤ部２の先頭のセクタマ−ク３０５を検出し、セクタマ−ク３０５の検出タイミングを示すパルス信号であるセクタマ−ク検出信号８１をコントロ−ラ部８０１に送出する。
【００３２】
コントロ−ラ部８０１は、セクタマ−ク検出信号８１のタイミングを基準として、再生信号３１のＩＤ１部３０１の中のＶＦＯ部３０６でパルスを出力するセクタパルス３３を出力する。ＩＤ１検出回路５９及びＩＤ２検出回路６０は、コントローラ部８０１が出力するセクタパルス３３でリセットされる。
【００３３】
また、コントロ−ラ部８０１は、ＩＤ１部３０１の内、同期マ−ク３０７とアドレス番号３１２とＣＲＣ部３１１の領域で”Ｈ”レベルとなるゲ−ト信号であるＩＤ１検出ゲ−ト信号７７と、ＩＤ２部３０２の内、同期マ−ク３０７とアドレス番号３１２とＣＲＣ部３１１の領域で”Ｈ”レベルとなるゲ−ト信号であるＩＤ２検出ゲ−ト信号７８とを出力する。
【００３４】
ＩＤ１検出回路５９は、コントローラ部８０１が出力するＩＤ１検出ゲ−ト信号７７が”Ｈ”レベルとなる期間において、受光部５８から入力する再生信号３１の中からＩＤ１部３０１の中のトラック番号３０８とセクタ番号３１０を検出し、ＩＤ１番号検出値６８を比較回路６２へ出力する。また、ＩＤ２検出回路６０は、コントローラ部８０１が出力するＩＤ２検出ゲ−ト７８が”Ｈ”レベルとなる期間において、受光部５８から入力する再生信号３１の中からＩＤ２部３０２の中のトラック番号３０８とセクタ番号３１０を検出し、トラック番号とセクタ番号とからなるＩＤ２番号検出値６９を比較回路６３へ出力する。
【００３５】
コントロ−ラ８０１は、再生，記録，又は消去等の処理を実行するセクタのトラック番号とセクタ番号を、ＩＤ１番号指示値７０として比較回路６２に出力し、また、ＩＤ２番号指示値７１として比較回路６３に出力する。比較回路６２は、ＩＤ１番号検出値６８とＩＤ１番号指示値７０をビット毎に一致をとり、全てのビットで一致していた場合に、”Ｈ”レベルとなるＩＤ１検出信号７９を出力する。比較回路６３は、ＩＤ２番号検出値６９とＩＤ２番号指示値７１をビット毎に一致をとり、全てのビットで一致していた場合に、”Ｈ”レベルなるＩＤ２検出信号８０を出力する。
【００３６】
比較回路６２が出力するＩＤ１検出信号７９及び比較回路６３が出力するＩＤ１検出信号８０は、アンドゲート６４に入力する。アンドゲ−ト６４の出力であるＩＤ検出信号７２は、ＩＤ１検出信号７９とＩＤ２検出信号８０の両方が”Ｈ”レベルのとき、”Ｈ”レベルとなる。ＩＤ検出信号７２は、コントロ−ラ８０１に送出され、再生，記録，又は消去等の処理を実行するセクタのＩＤを検出できたことを報告する。
【００３７】
再生処理の実行時には、復調回路７５は、光ディスク１０上のデ−タ部１に所定の変調をかけて記録されたユ−ザデ−タの再生信号３１を復調し、復調信号７６をコントロ−ラ８０１に送出する。コントローラ８０１は、ＩＤ検出信号７２が”Ｈ”レベルである期間中に、入力した復調信号７６を、再生処理を実行するセクタのユーザデータとして読み込み、外部に出力する。
【００３８】
また、記録処理の実行時には、コントロ−ラ８０１は、光ディスク１０に記録するデ−タであるＷＲデ−タ信号６５と、記録または消去処理実行時に再生信号３１のデ−タ部で”Ｈ”レベルとなり記録するエリアを示すゲ−ト信号であるＷＲゲ−ト信号６６を、それぞれ、アンドゲ−ト５４，５３に送出する。
【００３９】
一方、記録処理を実行するセクタが検出されると、アンドゲート６４が出力するＩＤ検出信号７２は、アンドゲ−ト５３，５４に送出される。従って、アンドゲート５３は、ＷＲゲ−ト信号６６が”Ｈ”レベルで、しかも、ＩＤ検出信号７２が”Ｈ”レベルの時、”Ｈ”レベルの一致信号６７を出力し、アンドゲート５４は、ＩＤ検出信号７２が”Ｈ”レベルの時、ＷＲデータ信号６５に同期したデータ信号５５を出力する。
【００４０】
レ−ザ光源駆動回路５６は、アンドゲ−ト５４，５３の出力信号５５，６７により制御され、記録マ−クを記録するタイミングで、レ−ザ光源５７のレ−ザパワ−を強くして、記録を行う。
【００４１】
また、消去時には、レ−ザ光源駆動回路５６は、アンドゲ−ト５４，５３の出力信号により制御され、消去を行うタイミングで、レ−ザ光源５７のレ−ザパワ−を強くして、消去を行う。
【００４２】
なお、ＩＤまたはデ−タの再生時には、ＷＲデ−タ６５には記録するデ−タは出力されず、ＷＲゲ−ト６６はオフし、これによって、レ−ザ光源駆動回路５６は、記録または消去時と比較して相対的に弱い光をレ−ザ光源５７から発光させる。
【００４３】
コントロ−ラ８０１の内部には、ユ−ザデ−タに所定の変調を施す変調回路が設けられており、変調後のデ−タをＷＲデ−タ６５として出力する。変調方式としては、１−７ＲＬＬ（Ｒｕｎ  Ｌｅｎｇｔｈ  Ｌｉｍｉｔ）変調や、２−７ＲＬＬ変調等を用いても良い。但し、コントロ−ラ８０１内部の変調回路と、復調回路７５が、同じ変調方式に対応するように構成する。
【００４４】
次に、コントローラ８０１が出力するＩＤ１番号指示値７０とＩＤ２番号指示値７１について説明する。
図２において説明したように、ランド４のＩＤ１部３０１とＩＤ２部３０２のトラック番号３０９には、同じトラック番号を記録してあるのに対して、グル−ブ５のＩＤ１部３０１とＩＤ２部３０２のトラック番号３０９には、異なるトラック番号が記録されている。従って、ランド４に対して、デ−タの記録，再生，や消去の処理を行う場合と、グルーブ５に対して、処理を行う場合では、ＩＤ１番号指示値７０とＩＤ２番号指示値７１の設定を異ならせる必要がある。
【００４５】
従って、ランド４に対する処理では、ＩＤ１番号指示値７０とＩＤ２番号指示値７１に、処理を行うランドに対応する同じトラック番号を設定する。また、グル−ブ５に対する処理では、処理を行うグル−ブに対応する互いに異なるトラック番号をＩＤ１番号指示値７０とＩＤ２番号指示値７１に設定する。この場合、図２に示したＩＤ部２に対応させて、ＩＤ１部３０１のトラック番号に比べ、ＩＤ２部３０２のトラック番号は１トラック大きな値を設定する。
【００４６】
即ち、例えば、図２に示したトラック番号１ランド２０３に対する処理時には、ＩＤ１番号指示値７０にトラック番号”１”を設定し、ＩＤ２番号指示値７１に同じトラック番号”１”を設定する。また、図２に示したトラック番号１グル−ブ２０４に対する処理時には、ＩＤ１番号指示値７０にトラック番号”１”を設定し、ＩＤ２番号指示値７１にトラック番号”２”を設定する。
【００４７】
これらの指示値と再生したＩＤ１番号検出値６８とＩＤ２番号検出値６９とが、ＩＤ１とＩＤ２について両方一致したことを、比較回路６２，比較回路６３，アンドゲ−ト６４によって検出して、これを条件として、コントローラ８０１は、処理を実行する。
【００４８】
ＩＤ１検出回路５９及びＩＤ２検出回路６０の構成としては、例えば、ＩＤ１検出ゲ−ト信号７７とＩＤ２検出ゲ−ト信号７８とが、それぞれ”Ｌ”レベルの期間にリセットされ、再生デ−タをビット毎に順次取り込むシフトレジスタと、このシフトレジスタのビット毎の出力より、パタ−ン一致の方法で同期マ−ク３０７を検出し、検出したタイミングを示すパルス信号を出力するマ−ク検出回路と、このパルス信号により、あとに続くアドレス番号３１２の取り込みを開始し、取り込んだ後にこれを保持し、かつ、セクタパルス３３によってリセットされるレジスタ回路とより構成することができる。アドレス番号３１２が、光ディスク上に所定の変調を施された後に記録されている場合には、復調回路を設けて復調後に、上述したレジスタ回路に取り込むようにすればよい。
【００４９】
また、ＩＤ１検出回路５９とＩＤ２検出回路６０は、図３においては、別々のブロックとして記述したが、これに限らず、一部の回路を共用しても良い。即ち、再生デ−タをビット毎に順次取り込むシフトレジスタと、このシフトレジスタのビット毎の出力よりパタ−ン一致の方法で同期マ−ク３０７を検出し、検出したタイミングを示すパルス信号を出力するマ−ク検出回路と、ＩＤ１検出ゲ−ト７７が”Ｈ”レベルの場合に、前記パルス信号により、あとに続くアドレス番号３１２の取り込みを開始し、取り込んだ後にこれを保持し、かつ、セクタパルス３３によってリセットされるＩＤ１用のレジスタ回路と、ＩＤ２検出ゲ−ト７８が”Ｈ”レベルの場合に、前記パルス信号により、あとに続くアドレス番号３１２の取り込みを開始し、取り込んだ後にこれを保持し、かつ、セクタパルス３３によってリセットされるＩＤ２用のレジスタ回路とより構成しても良い。
【００５０】
要するに、ＩＤ１部３０１とＩＤ２部３０２とを、それぞれの検出ゲ−トにより区別して、それぞれのアドレス番号を検出する回路であれば、どのように構成してもよい。
【００５１】
次に、図４を用いて、本発明の一実施形態による光ディスク装置の動作について説明する。
図４は、本発明の一実施形態による光ディスク装置の記録時のタイムチャートである。
【００５２】
図４は、図２に示した光ディスクのトラック番号１グル−ブ２０４のセクタ番号”４”のセクタに記録を行うときのＩＤ部のタイミングを拡大して示したものである。
【００５３】
図４（Ａ）は、図３に示す受光部５８の出力信号が、プリアンプ部やＡＧＣ部やＰＬＬ部で処理された再生信号３１を示している。再生信号３１には、ＩＤ部２に予め形成されているプリピット７に対応したパルス信号が再生される。即ち、再生信号３１は、セクタマーク３０５と、ＶＦＯ部３４１と同期マーク３４２とアドレス番号３４３とＣＲＣ部３４４から構成されるＩＤ１部３０１と、ＶＦＯ部３４５と同期マーク３４６とアドレス番号３４７とＣＲＣ部３４８から構成されるＩＤ１部３０２と、データ部１から構成されている。データ部１に予め情報が記録されている場合には、記録されている情報に対応した信号が出力される。
【００５４】
図４（Ｂ）は、図３に示すセクタマーク検出回路６１が出力するセクタマ−ク検出信号８１を示している。セクタマーク検出回路６１は、再生信号３１の中のセクタマ−ク３０５を検出し、セクタマ−ク検出信号８１にパルス信号が出力する。
【００５５】
図４（Ｃ）は、図３に示すコントローラ８０１が出力するセクタパルス３３を示している。コントローラ８０１は、セクタマ−ク検出信号８１の検出パルスを基準として、ＶＦＯ部３４１付近において、セクタパルス３３にパルス信号を出力する。
【００５６】
図４（Ｄ）は、図３に示すコントローラ８０１が出力するゲ−ト信号ＩＤ１検出ゲ−ト信号７７を示している。コントローラ８０１は、セクタマ−ク検出信号８１の検出パルスを基準として、同期マ−ク３４２，アドレス番号３４３，ＣＲＣ部３４４の領域において”Ｈ”レベルとなるＩＤ１検出ゲ−ト信号７７を出力する。
【００５７】
図４（Ｅ）は、図３に示すコントローラ８０１が出力するゲ−ト信号ＩＤ２検出ゲ−ト信号７８を示している。コントローラ８０１は、セクタマ−ク検出信号８１の検出パルスを基準として、同期マ−ク３４６，アドレス番号３４７，ＣＲＣ部３４８の領域において”Ｈ”レベルとなるＩＤ２検出ゲ−ト信号７８を出力する。
【００５８】
図４（Ｆ）は、図３に示すＩＤ１検出回路５９が検出するＩＤ１番号検出値６８を示している。ＩＤ１検出回路５９は、コントローラ８０１が出力するセクタパルス３３によってリセットされる。セクタパルス３３によってリセットされた時のＩＤ１番号検出値６８としては、例えば、図４のように、トラック番号”０”，セクタ番号”０”と設定してもよいが、光ディスク上のトラック番号”０”，セクタ番号”０”のセクタの処理の実行時にＩＤを誤検出する恐れがあるため、トラック番号やセクタ番号として光ディスク上に有りえない番号に設定することがより望ましい。
【００５９】
ＩＤ１番号検出値６８は、セクタパルス３３のパルス信号によってリセットされた後、ＩＤ１検出ゲ−ト信号７７が”Ｈ”レベルの期間に、ＩＤ１部のアドレス番号３４３を読み取り、その値である、例えば，トラック番号”１”，セクタ番号”４”がセットされ、次のセクタのセクタパルス３３のパルス信号のタイミングまで保持する。
【００６０】
図４（Ｇ）は、図３に示すＩＤ２検出回路６０が検出するＩＤ２番号検出値６９を示している。ＩＤ２検出回路６０は、コントローラ８０１が出力するセクタパルス３３によってリセットされた後、ＩＤ２検出ゲ−ト７８が”Ｈ”レベルの期間にＩＤ２部のアドレス番号３４７を読み取り、その値である例えばトラック番号”２”，セクタ番号”４”がセットされ、次のセクタのセクタパルス３３のパルス信号のタイミングまで保持する。
【００６１】
図４（Ｈ）は、図３に示すコントローラ８０１が出力するＩＤ１番号指示値７０の設定状態を示している。コントローラ８０１は、セクタマ−ク検出信号８１の検出パルスを基準として、処理を行うセクタのアドレスをＩＤ１番号指示値７０として設定する。１セクタの処理を行う場合には、設定のタイミングは、処理を行うべきセクタのアドレス番号３４３が再生される前のタイミングとしておく。連続して複数のセクタの処理を行う場合には、処理するセクタの先頭のアドレス番号を最初に設定し、先頭のセクタの処理を行ってから、２セクタ目以降、セクタパルスのタイミングでセクタ番号が１づつ増加するようにする。
【００６２】
図４（Ｉ）は、図３に示すコントローラ８０１が出力するＩＤ２番号指示値７１の設定状態を示しており、ＩＤ１番号指示値７０と同様に設定される。
【００６３】
図４に示す例では、トラック番号１グル−ブ２０４のセクタ番号”４”のセクタに記録をするため、ＩＤ１番号指示値７０として、トラック番号”１”，セクタ番号”４”を設定し、ＩＤ２番号指示値７１として、トラック番号”２”，セクタ番号”４”を設定してある。
【００６４】
図４（Ｊ）は、図３に示す比較回路６２が出力するＩＤ１検出信号７９を示している。ＩＤ１検出信号７９は、ＩＤ１番号検出値６８にトラック番号”１”，セクタ番号”４”がセットされると、ＩＤ１番号指示値７０と一致して、”Ｈ”レベルとなる。
【００６５】
図４（Ｋ）は、図３に示す比較回路６３が出力するＩＤ２検出信号８０を示している。ＩＤ２検出信号８０は、ＩＤ２番号検出値６９にトラック番号”２”，セクタ番号”４”がセットされると、ＩＤ２番号指示値７１と一致して、”Ｈ”レベルとなる。
【００６６】
図４（Ｌ）は、図３に示すアンドゲート６４が出力するＩＤ検出信号７２を示している。処理を行うセクタのＩＤ１部３０１とＩＤ２部３０２の両方のアドレス番号３４３，３４７が正しく再生されると、ＩＤ１検出信号７９とＩＤ２検出信号８０の両方が後に続くデ−タ部を全て含む領域で”Ｈ”レベルとなり、両者の論理積をとって生成されるＩＤ検出信号７２も”Ｈ”レベルとなる。
【００６７】
図４（Ｍ）は、図３に示すコントローラ８０１が出力する記録すべき変調後のユーザデータであるＷＲデータ６５を示している。
【００６８】
図４（Ｎ）は、図３に示すコントローラ８０１が出力する記録する領域を示すゲ−ト信号６６を示している。
【００６９】
記録時でかつＩＤ検出信号７２が”Ｈ”レベルの場合には、アンドゲ−ト５４と５３はオンして、このＷＲデ−タ６５とＷＲゲ−ト６６は、図４（Ｏ），（Ｐ）に示すように、アンドゲ−ト出力５５とアンドゲ−ト出力６７に出力し、レ−ザパワ−は記録パワ−に制御され、記録を行う。
【００７０】
図４には示していないが、再生処理時は、ＩＤ検出信号７２が”Ｈ”レベルである場合には、ＷＲデ−タ６５とＷＲゲ−ト６６は”Ｌ”レベルとなり、レ−ザは再生パワ−に制御され、デ−タ部に記録されたデ−タを復調デ−タ７６をコントロ−ラ部８０１からホストコンピュ−タやパソコン等の上位装置に転送する。
【００７１】
先に述べたように、図２に示すような光ディスクにおいては、ＩＤ１とＩＤ２の何れかが正しく再生できない場合、そのセクタを特定できないが、このような場合、ＩＤ検出信号７２は”Ｌ”レベルとなり、復調デ−タ７６の転送を行わず、誤ったセクタのデ−タを上位装置に転送することを防止する。
【００７２】
また、消去処理時は、ＩＤ検出信号７２が”Ｈ”レベルである場合には、ＷＲデ−タ６５とＷＲゲ−ト６６は”Ｈ”レベルとなり、レ−ザは消去用の高いパワ−に制御され、デ−タ部に記録されたデ−タを消去する。
【００７３】
先に述べたように、図２に示すような光ディスクにおいては、ＩＤ１とＩＤ２の何れかが正しく再生できない場合、そのセクタを特定できないが、このような場合、ＩＤ検出信号７２は”Ｌ”レベルとなり、誤消去を防止する。
【００７４】
次に、図２及び図５を用いて、光ディスク上に欠陥が生じた場合の動作について説明する。
図５は、図２に示した本発明の一実施形態による光ディスクから再生される再生信号の波形図である。
【００７５】
図５において、トラック番号０ランド再生信号２１１は、図２に示したトラック番号０ランド２０１から再生された信号を模式的に示しており、トラック番号０グルーブ再生信号２１２は、図２に示したトラック番号０グルーブ２０２から再生された信号を模式的に示している。他の再生信号２１３，…，２２０も、それぞれ、図２に示したランド２０３，…，２０９、グルーブ２０４，…，２１０に対応した再生信号である。
【００７６】
ここで、例えば、図２に示すように、ＩＤ部２の一部に欠陥９０１が生じた場合には、図５に示すように、トラック番号２ランド再生信号２１５のＩＤ１部３０１に波形異常９２１が発生して、ＩＤ１部３０１のアドレス番号は正しく再生できないことになる。一方、トラック番号２ランド再生信号２１５のＩＤ２部３０２からはトラック番号”２”が再生されるが、これはトラック番号１グル−ブ２０４を再生したトラック番号１グル−ブ再生信号２１４のＩＤ２部３０２のトラック番号”２”と同じ値であり、区別できないことになる。
【００７７】
ＩＤ２部３０２の値が指示したトラック番号と一致することだけを条件として、トラック番号２ランド２０５のＩＤ部２の後に続くデ−タ部１の記録または消去を行うと、誤ってトラック番号１グル−ブ２０４に光ヘッドを位置付けた場合、これを検出できず、トラック番号１グル−ブ２０４のＩＤ部２の後に続くデ−タ部１に既に記録されているデ−タを破壊することになる。
【００７８】
また、デ−タの再生時に同様なことがあると、要求されたものと異なるトラック番号１グル−ブ２０４のデ−タ部１のデ−タを転送することになる。
【００７９】
光ディスク上に形成された欠陥による誤動作を防止するため、本実施形態においては、図３において説明したように、ＩＤ１とＩＤ２を、それぞれ検出ゲ−トによって個別に検出し、両方のＩＤがそれぞれの指示値と一致していたことを条件に記録，消去，および再生等の処理を行うようにしている。
【００８０】
即ち、本実施形態においては、図２に示した光ディスクのトラック番号２ランド２０５への記録時には、ＩＤ１番号指示値７０及びＩＤ２番号指示値７１のトラック番号として同じトラック番号”２”を設定する。この時、誤ってトラック番号１グル−ブ２０４に光ヘッドを位置付けた場合、ＩＤ２検出回路６０ではトラック番号”２”が検出され、ＩＤ２検出信号８０は”Ｈ”レベルとなる。一方ＩＤ１検出回路５９ではトラック番号”１”が検出されるが、ＩＤ１指示値７１にはトラック番号”２”が設定されているため、比較回路６２において一致せず、ＩＤ１検出信号７９は”Ｌ”レベルとなる。両者の論理積をとるアンドゲ−ト６４の出力のＩＤ検出信号７２も”Ｌ”レベルとなり、ＩＤを正常に検出できなかったことをコントロ−ラ８０１ヘ報告すると共に、アンドゲ−ト５４と５３において、ゲ−トをオフしてＷＲデ−タ６５とＷＲゲ−ト６６がレ−ザ光源駆動回路５６に送られないようにする。このように、記録時に光スポットを誤ったトラックに位置付けた場合に記録処理を中止して、ユ−ザデ−タを保護することができる。
【００８１】
また、再生時には、ＩＤ検出信号７２が”Ｌ”レベルの時、コントロ−ラ８０１は復調デ−タ７６をホストコンピュ−タやパソコン等の上位装置に転送する処理を中止する。これにより誤ったデ−タを上位装置に転送することを防止できる。
【００８２】
上述したような処理を行うと高い信頼性を得られるが、媒体上のＩＤ部にゴミが付着した場合等にデ−タが読みだせなくなる。ユ−ザによっては、ゴミが付着してＩＤが読めない場合にも、多少の信頼性を犠牲にしても再生したい場合がある。このような場合は、複数回再生処理を行い、例えば、１回目の再生時にはＩＤ１部３０１とＩＤ２部３０２の両方が正しく再生できたことを条件に上位装置にデ−タを転送し、検出できなかった場合２回目以降の再生時にＩＤ１部３０１とＩＤ２部３０２の何れか片方を再生できた場合に上位装置に復調デ−タ７６を転送する処理や、処理を行いたいセクタのＩＤ１部３０１とＩＤ２部３０２の何れも再生できなくとも１セクタまたは複数セクタ前のセクタのＩＤ１部３０１とＩＤ２部３０２の両方が検出できた場合に、検出できたセクタからタイミングを測って、再生処理を実行しても良い。
【００８３】
なお、以上の説明では、図２に示したランド４のＩＤ１部３０１とＩＤ２部３０２のトラック番号３０８には、同じトラック番号を記録してあり、グルーブ５のＩＤ１部３０１とＩＤ２部３０２のトラック番号３０９には、異なるトラック番号を記録してあるものとしたが、ランド４若しくはグルーブ５のＩＤ１部３０１とＩＤ２部３０２のトラック番号３０９に、それぞれ異なるトラック番号を記録するようにしてもよい。即ち、図２において、トラック番号０ランド２０１のＩＤ２部３０２のトラック番号を”０”とし、トラック番号０ランド２０１のＩＤ１部３０１のトラック番号を”１”とし、トラック番号１ランド２０３のＩＤ２部３０２のトラック番号を”２”とし、トラック番号１ランド２０３のＩＤ１部３０１のトラック番号を”３”とするように、順次１番づつ繰り上げるトラック番号を記録するようにしてもよい。
【００８４】
一方、このようにしてトラック番号の記録された光ディスクに対して、図３に示す光ディスク装置においては、ＩＤ１番号指示値７０及びＩＤ２番号指示値７１の設定を変えるのみで対応することができる。即ち、トラック番号０ランド２０１を再生するときには、ＩＤ１番号指示値７０として、トラック番号”１”を設定し、ＩＤ２番号指示値７１として、トラック番号”０”を設定することにより、ランドとグルーブを区別して、同様にして所定のトラックの再生を行うことができる。また、記録，消去の処理も同様に実行することができる。
【００８５】
以上説明したように、本実施形態の記録再生装置によれば、隣合うランドとグルーブを区別することができるので、誤った処理を防止することができる。
【００８６】
次に、図６を用いて、本発明の第２の実施形態による記録再生装置について説明する。
図６は、本発明の第２の実施形態による記録再生装置である光ディスクのブロック図である。
【００８７】
図６において、図３と同一符号は、同一部分を示しており、その構成・動作については、図３において説明したとおりであるので、その詳細な説明は省略する。図６に示した実施形態において、図３の実施形態と相違する主たる点は、ＩＤ１ＣＲＣ演算回路９３及びＩＤ２ＣＲＣ演算回路９４を追加した点にある。また、この追加に伴い、アンドゲート９７，９８，９９を設けてある。なお、本実施形態の記録再生装置において記録再生に使用する光ディスクは、図１及び図２において説明したような構成を有するものである。
【００８８】
ＩＤ１ＣＲＣ演算回路９３は、コントローラ８０１が、セクタの最初に出力するセクタパルス３３（図４（Ｃ）参照）によりリセットされる。そして、ＩＤ１ＣＲＣ演算回路９３は、ＩＤ１検出ゲ−ト信号７７が”Ｈ”レベルの時に、再生信号３１の中のＩＤ１部３０１（図４参照）のアドレス番号３４３とＣＲＣ部３４４をビット毎に取り込み、エラー検出のための所定の演算を行うものである。
【００８９】
ＩＤ２ＣＲＣ演算回路９４は、同様に、コントローラ８０１が、セクタの最初に出力するセクタパルス３３（図４（Ｃ）参照）によりリセットされる。そして、ＩＤ２ＣＲＣ演算回路９４は、ＩＤ２検出ゲ−ト信号７８が”Ｈ”レベルの時に、再生信号３１の中のＩＤ２部３０２（図４参照）のアドレス番号３４７とＣＲＣ部３４８をビット毎に取り込み、エラー検出のための所定の演算を行うものである。
【００９０】
ＩＤ１ＣＲＣ演算回路９３は、例えば，ＩＤ１検出ゲ−ト信号７７が”Ｈ”レベルの時に、再生信号３１の同期マ−ク３０７を検出する同期マ−ク検出回路と、この検出タイミング以降の所定の変調をかけて記録されているアドレス番号３１２とＣＲＣ部３１１とを復調する復調回路と、この検出タイミング以降の復調されたアドレス番号３１２とＣＲＣ部３１１をビット毎に取り込むシフトレジスタと、このシフトレジスタの全ビットの出力を用いて、ＣＲＣ部３１１の生成方法に対応する所定の演算を行う演算回路とより構成されている。
【００９１】
ここで、”所定の演算”としては、例えば，アドレス番号３１２の全ての変調前のビットをモ−ド２で加算した結果の１ビットのデ−タを反転させ、これを変調してＣＲＣ部３１１に記録してある場合には、復調後のアドレス番号３１２とＣＲＣ部３１１の全ビットをモ−ド２で加算し、加算した結果が奇数の時”Ｈ”レベルを出力し、偶数の時”Ｌ”レベルを出力する方法を用いる。ＣＲＣ部３１１の再生によりエラーチェックを行い、エラーが検出されない場合には、”Ｈ”レベルを出力し、エラーが検出された場合には、”Ｌ”レベルを出力する。また、これ以外の演算方法を用いてもよい。
【００９２】
また、ＩＤ１ＣＲＣ演算回路９３としては、例えば、少なくともアドレス番号と、このアドレス番号を再生した値が正しいかどうか判定するためのＣＲＣ部３１１とを備えたＩＤ部の再生時に、これらを用いてアドレス番号をチェックし、正しいと判定された場合に”Ｈ”レベルとなる信号を出力し、次のセクタの先頭までそのレベルを保持する回路であれば、他の回路構成を用いることもできる。
【００９３】
ＩＤ２ＣＲＣ演算回路９４は、ＩＤ１ＣＲＣ演算回路９３と同様の構成を用い、ＩＤ２検出ゲ−ト信号７８が”Ｈ”レベルの時に再生信号３１の同期マ−ク３０７を検出する同期マ−ク検出回路と、この検出タイミング以降の所定の変調をかけて記録されているアドレス番号３１２とＣＲＣ部３１１とを復調する復調回路と、前記検出タイミング以降の復調したアドレス番号３１２とＣＲＣ部３１１をビット毎に取り込むシフトレジスタと、このシフトレジスタのビット毎の出力を、ＣＲＣ部３１１の生成方法に対応する所定の演算を行う演算回路とにより構成することができる。
【００９４】
アンドゲ−ト９７は、ＩＤ１検出信号７９が”Ｈ”レベルで、かつ，ＩＤ１ＣＲＣ検出信号１１１が”Ｈ”レベルの時に、出力が”Ｈ”レベルとなる。アンドゲ−ト９８は、ＩＤ２検出信号８０が”Ｈ”レベルで、かつ，ＩＤ２ＣＲＣ検出信号１１２が”Ｈ”レベルの時に出力が”Ｈ”レベルとなる。また、アンドゲ−ト９９は、アンドゲ−ト９７，９８の出力信号がともに”Ｈ”レベルの場合に、ＩＤ検出信号１１７を”Ｈ”レベルとするものである。
【００９５】
次に、本実施形態の動作について説明する。
処理を行うセクタのＩＤ部に欠陥のない場合には、ＩＤ１検出信号７９，ＩＤ１検出信号８０，ＩＤ１ＣＲＣ検出信号１１１，ＩＤ２ＣＲＣ検出信号１１２は何れも”Ｈ”レベルとなり、ＩＤ検出信号１１７は”Ｈ”レベルとなる。
【００９６】
従って、再生時には、コントロ−ラ８０１は、ＩＤ検出信号１１７が”Ｈ”レベルとなることから、ＩＤが正しく検出できたことを認識し、後に続くデ−タ部１のデ−タを復調したユ−ザデ−タ１１８を上位装置に転送する。
【００９７】
また、記録または消去時には、ＩＤ検出信号１１７が”Ｈ”レベルとなると、アンドゲ−ト５４，５３がオンして、ＷＲデ−タ６５及びＷＲゲ−ト６６をレ−ザ光源駆動回路５６に送出して、記録または消去を実行する。
【００９８】
処理を行うセクタのアドレス部に欠陥が有る場合には、少なくとも、ＩＤ１ＣＲＣ検出信号１１１とＩＤ２ＣＲＣ検出信号１１２の何れかが”Ｌ”レベルとなり、ＩＤ検出信号１１７は”Ｌ”レベルとなる。
【００９９】
従って、再生時には、コントロ−ラ８０１は、ＩＤ検出信号１１７が”Ｌ”レベルとなることから、ＩＤが正しく検出できなかったことを認識し、ユ−ザデ−タは上位装置に転送せず、必要があればリトライを行う。
【０１００】
また、記録または消去時には、ＩＤ検出信号１１７が”Ｌ”レベルとなると、アンドゲ−ト５４，５３がオフして、ＷＲデ−タ６５及びＷＲゲ−ト６６はレ−ザ光線駆動回路に送出せず、記録または消去は行わない。このとき、必要が有れば、リトライを行うか、あるいは記録時であれば媒体上のほかの領域にデ−タを書き込むようにしても良い。
【０１０１】
一方、処理を行うセクタではないのに、欠陥によりアドレス番号の値が誤って再生され、これが処理を行いたいセクタのアドレス番号と一致した場合、ＩＤ１番号検出値６８とＩＤ２番号検出値６９の両方が、それぞれＩＤ１番号指示値７０及びＩＤ２番号指示値７１と一致し、ＩＤ１番号検出信号７９とＩＤ２番号検出信号８０が”Ｈ”レベルとなるが、欠陥によりＩＤ１ＣＲＣ検出信号１１１及びＩＤ２ＣＲＣ検出信号１１２の少なくとも何れかは、”Ｌ”レベルとなり、ＩＤ検出信号１１７は”Ｌ”レベルとなる。これにより、再生時には上位装置へのデ−タの転送を停止し、記録または消去時には処理を行わないので、デ−タが異常となることを防止できる。
【０１０２】
以上説明したように、本実施形態によれば、隣合うランドとグルーブを区別することができるので、誤った処理を防止することができる。
【０１０３】
また、アドレス番号を誤って再生した場合にも、エラーチェックを行うことにより、誤った処理を防止することができる。
【０１０４】
次に、図７を用いて、本発明の第３の実施形態による記録再生装置について説明する。
図７は、本発明の第３の実施形態による記録再生装置である光ディスク装置のブロック図である。
【０１０５】
図７において、図６と同一符号は、同一部分を示しており、その構成・動作については、図６において説明したとおりであるので、その詳細な説明は省略する。図７に示した実施形態において、図６の実施形態と相違する主たる点は、演算回路ａ１２７，演算回路ｂ１２８及びセレクト回路１３０を追加した点にある。また、この追加に伴い、比較回路１２６，１３１，アンドゲート１３２を設けてある。なお、本実施形態の記録再生装置において記録再生に使用する光ディスクは、図１及び図２において説明したような構成を有するものである。
【０１０６】
比較回路１２６は、ＩＤ１検出回路５９が検出したＩＤ１番号検出値６８とＩＤ２検出回路６０が検出したＩＤ２番号検出値６９のＩＤ識別番号３０９を除く部分をビット毎に一致をとり、すべて一致していたときに”Ｈ”レベルとなり、それ以外の時は”Ｌ”レベルとなるセレクト信号１４２を出力する。
【０１０７】
演算回路ａ１２７は、ＩＤ１検出回路５９が検出したＩＤ１番号検出値６８から変換後の第一のアドレス番号１５４を生成する。演算回路ａ１２７が行う演算については、後述する。
【０１０８】
演算回路ｂ１２８は、ＩＤ１検出回路５９が検出したＩＤ１番号検出値６８から変換後の第二のアドレス番号１５５を生成する。
【０１０９】
セレクト回路１３０は、比較回路１２６が出力するセレクト信号１４２が、”Ｈ”レベルの時に演算回路ａ１２７の側を選択し、セレクト信号１４２が”Ｌ”レベルの時に演算回路ｂ１２８の側を選択する。
【０１１０】
比較回路１３１は、セレクト回路１３０の出力とコントロ−ラ８０３が出力するＩＤ番号指示値１４４とをビット毎に一致をとり、すべて一致したときに”Ｈ”レベルとなる信号１４５を出力する。
【０１１１】
アンドゲ−ト１２９は、ＩＤ１ＣＲＣ演算回路９３が出力するＩＤ１ＣＲＣ検出信号１１１とＩＤ１ＣＲＣ演算回路９４が出力するＩＤ２ＣＲＣ検出信号１１２の両方が”Ｈ”レベルのときに、”Ｈ”レベルとなる信号１４３を出力する。
【０１１２】
アンドゲ−ト１３２は、比較回路１３１が出力する信号１４５とアンドゲ−ト１２９が出力する信号１４３の両方が”Ｈ”レベルの時に、”Ｈ”レベルとなるＩＤ検出信号１１７を出力する。
【０１１３】
次に、演算回路ａ１２７と演算回路ｂ１２８の演算内容について説明する。
図２に示した光ディスクにおいては、同じＩＤ１番号に対応したランドとグル−ブの２つのセクタが存在するが、演算回路ａ１２７と演算回路ｂ１２８は、この２つのセクタを区別して、ユニ−クなそれぞれランド，グル−ブに対応したＩＤ番号を生成する。例えば、再生したＩＤ１番号検出値６８のうち、トラック番号を”ｎ”としたとき、演算回路ａ１２７は変換後のトラック番号”２ｎ”を出力し、演算回路ｂ１２８は変換後のトラック番号”（２ｎ＋１）”を出力し、それぞれのセクタ番号は変換せずそのまま出力する。
【０１１４】
また、別の方式の演算回路ａ１２７と演算回路ｂ１２８にあっては、再生したＩＤ１番号検出値６８のうち、トラック番号を”ｎ”，媒体上に記録されたトラック番号の最大値を”Ｎ”とするとき、演算回路ａ１２７は変換後のトラック番号ｎを出力し、演算回路ｂ１２８は変換後のトラック番号（Ｎ＋ｎ）を出力し、それぞれのセクタ番号は変換せずそのまま出力する。
【０１１５】
また、さらに別の方式の演算回路ａ１２７は、再生したＩＤ１番号検出値６８の最上位ビットとして１ビット追加して、その最上位ピットに”０”を設定して出力し、演算回路ｂ１２８は、再生したＩＤ１番号検出値６８の最上位ビットとして１ビット追加して、その最上位ビットに”１”を設定して出力する。
【０１１６】
いずれにしても、演算回路ａ１２７と演算回路ｂ１２８は、同じＩＤ１番号に対応した２つのセクタを区別して、ユニ−クなそれぞれランド，グル−ブに対応したＩＤ番号を生成するものである。
【０１１７】
次に、本実施形態の動作について説明する。
図２に示した光ディスクにおいては、ランド４に対しては、ＩＤ１部のトラック番号３０８とセクタ番号３１０と、ＩＤ２部のトラック番号３０８とセクタ番号３１０とは同じ値に設定されており、グル−ブ５に対しては、それらが異なる値に設定されている。従って、比較回路１２６は、ＩＤ１検出回路５９が検出したＩＤ１番号検出値６８とＩＤ２検出回路６０が検出したＩＤ２番号検出値６９とを比較し、ＩＤ１部とＩＤ２部のトラック番号とセクタ番号が一致し、そのセクタがランド４と判定された場合、比較回路１２６の出力信号１４２は”Ｈ”レベルとなり、両者が一致せずグル−ブ５と判定された場合”Ｌ”レベルとなる。
【０１１８】
そこで、比較回路１２６の出力信号１４２に基づいて、セレクタ１３０は、演算回路ａ１２７の側と演算回路ｂ１２８の側を切替え、セレクタ１３０は、ランドではランドに対応した変換後のＩＤ番号を出力し、グル−ブではグル−ブに対応した互いにユニ−クな変換後のＩＤ番号を出力する。
【０１１９】
コントロ−ラ８０３は、処理を行いたいセクタのＩＤ番号をあらかじめ、演算回路ａ１２７もしくは演算回路ｂ１２８の出力に対応する形式でＩＤ番号指示値１４４として設定する。従って、光ヘッドをセクタの存在するトラックに位置付け、トラッキングをかけ、媒体の回転によりレ−ザスポットが処理を行いたいセクタのＩＤ部にさしかかると、演算回路ａ１２７若しくは演算回路ｂ１２８によって変換された後のＩＤ番号とＩＤ番号指示値１４４が一致することが、比較回路１３１において検出され、比較回路１３１の出力信号は”Ｈ”レベルとなる。
【０１２０】
ＩＤ１ＣＲＣ演算回路９３とＩＤ２ＣＲＣ演算回路９４は、それぞれ図６において説明したように、アドレス番号のエラーチェックを行い、誤りなく再生できた場合”Ｈ”レベルとなるＩＤ１ＣＲＣ検出信号１１１とＩＤ２ＣＲＣ検出信号１１２を出力する。
【０１２１】
アンドゲ−ト１２９，１３２からなる回路は、ＩＤ１とＩＤ２がＣＲＣの演算により誤りなく検出され、かつ、再生した変換後のＩＤ番号が処理を行いたいセクタのＩＤ番号指示値１４４と一致した場合に、その出力のＩＤ検出信号１４６は”Ｈ”レベルとなり、次のセクタの先頭でセクタパルス１３５でリセットされるまでそのレベルを保持する。
【０１２２】
記録時または消去時は、ＩＤ検出信号１１７が”Ｈ”レベルである場合にのみ、アンドゲ−ト５４，５３をオンして、ＷＲデ−タ６５とＷＲゲ−ト６６をレ−ザ光源駆動回路５６に送出する。これにより、再生したＩＤ１番号やＩＤ２番号に誤りの有る場合や、処理を行いたいセクタと異なる場合にはアンドゲ−ト５３，５４をオフして、記録及び消去処理を止め、光ディスク上のユ−ザデ−タを保護する。
【０１２３】
また、再生時は、ＩＤ検出信号１４６が”Ｈ”レベルのときのみ、コントロ−ラ８０３は復調デ−タ７６を上位装置に転送する。これにより、再生したＩＤ１番号やＩＤ２番号に誤りの有る場合や、処理を行いたいセクタと異なる場合に誤ったデ−タを上位装置に転送することを防止する。
【０１２４】
また、本実施形態では、ランドとグル−ブを検出して、これにより演算回路ａ１２７と演算回路ｂ１２８を切替て、ランドとグル−ブによらずにユニ−クな変換後のＩＤ番号（セレクタ１３０の出力）を生成している。従って、図３若しくは図６に示した実施形態とは異なり、ＩＤ１番号とＩＤ２番号を個別に設定する必要はなく、ＩＤ番号指示値１４４だけを設定すればよいため、コントロ−ラ８０３またはコントロ−ラ８０３を制御するマイクロプロセッサ（図示せず）の処理が簡単になる。
【０１２５】
また、一般にコントロ−ラ８０３は、ここで述べたＩＤ番号指示値１４４によるＩＤ番号の指示や、ＩＤ１検出ゲ−トの生成等の処理を行うだけでなく、例えば，再生したユ−ザデ−タを一時貯えた後に上位装置へ転送し、記録するユ−ザデ−タを一時貯えた後にレ−ザ光線駆動回路へ転送し、上位装置と光ディスクとのタイミングを調停するメモリ回路とその制御回路や、少なくともレ−ザ光源からのレ−ザ光の媒体上の光スポットの位置を移動する手段を有する光ヘッド部を制御し、光スポットがあるトラックの位置を検出するシ−ク制御回路等を備えて構成される。このようなコントロ−ラ８０３のＩＤ番号の設定方法を、演算回路ａ１２７と演算回路ｂ１２８に対応する変換後のＩＤ番号として統一して用いれば、論理回路規模の削減が図れ、また、コントロ−ラ８０３を制御するマイクロプロセッサのプログラムの削減が図れる。
【０１２６】
以上説明したように、本実施形態によれば、隣合うランドとグルーブを区別することができるので、誤った処理を防止することができる。
【０１２７】
また、アドレス番号を誤って再生した場合にも、エラーチェックを行うことにより、誤った処理を防止することができる。
【０１２８】
また、コントローラの処理が簡単になる。
【０１２９】
さらに、論理回路の回路規模の削減を図れ、マイクロプロセッサのプログラムの削減を図れる。
【０１３０】
次に、図８〜図１１を用いて、本発明の他の実施形態による情報記録媒体及びそれを用いた記録再生装置について説明する。
図８は、本発明の他の実施形態による情報記録媒体である光ディスクの表面のプリピット部近傍の部分拡大図である。
【０１３１】
本実施形態における光ディスクの記録トラックの構成は、図１において説明した実施形態と同様であり、図２と同一符号は同一部分を示している。
【０１３２】
ＩＤ部２は、ＩＤ１部３０１，ＩＤ２部３０２，ＩＤ３部３０３，ＩＤ４部３０４，及びセクタマ−ク部３０５とから構成されている。プリピット７は、ＩＤ１部３０１とＩＤ３部３０３とセクタマ−ク３０５において、ランド４の中心線に対して図中下側に配置され、ＩＤ２部３０２とＩＤ４部３０４において、ランド４の中心線に対して図中上側に配置されている。そして、ＩＤ１部３０１とＩＤ２部３０２は、光ディスクの円周方向（トラック方向）においては、異なる位置に配置されており、ＩＤ３部３０３とＩＤ４部３０４は、光ディスクの円周方向（トラック方向）においては、異なる位置に配置されている。
【０１３３】
ＩＤ３部３０３とＩＤ４部３０４は、図２において説明したＩＤ１部３０１とＩＤ２部３０２と同様に、それぞれ、ＶＦＯ部３０６，同期マ−ク３０７，アドレス番号３１２，及びＣＲＣ部３１１とから構成されている。
【０１３４】
ランド４のＩＤ１部３０１とＩＤ２部３０２とＩＤ３部３０３とＩＤ４部３０４のトラック番号３０８には、同じトラック番号を記録してある。即ち、例えば、トラック番号１ランド１８３のＩＤ１部３０１には、トラック番号”１”が記録され、ＩＤ２部３０２，ＩＤ３部３０３及びＩＤ４部３０４にも、同じトラック番号”１”が記録されている。
【０１３５】
一方、グル−ブ５のＩＤ１部３０１及びＩＤ３部３０３は、図中上側のランド４とプリピット７を共用し、また、ＩＤ２部３０２及びＩＤ４部３０４は、図中下側のランド４とプリピットを共用している。従って、グル−ブ５のＩＤ１部３０１及びＩＤ３部３０３のトラック番号は、ＩＤ２部３０２及びＩＤ４部３０４とのトラック番号は、異なっており、１番違うトラック番号となっている。即ち、例えば、トラック番号０グル−ブ１８２のＩＤ１部３０１及びＩＤ３部３０３には、トラック番号”０”が記録され、ＩＤ２部３０２及びＩＤ４部３０４には、トラック番号”１”が記録されている。
【０１３６】
即ち、本実施形態においては、ランド４若しくはグルーブ５からなる一つのトラックに対して、アドレス番号を４回記録するようにしている。
【０１３７】
なお、アドレス番号３１２のうち、ＩＤ識別番号３０９には、ＩＤ１部３１５，ＩＤ２部３１６，ＩＤ３部３１７，及びＩＤ４部３１８を識別するための情報を記録し、例えば、ＩＤ１部３０１では”００”が記録され、ＩＤ２部３０２では”０１”が記録され、ＩＤ３部３０３では”１０”が記録され、ＩＤ２部３０４では”１１”が記録されている。
【０１３８】
本実施形態による情報記録媒体によれば、トラックオフセットを低減できるとともに、クロストークを低減できるものとなる。
【０１３９】
また、同一のＩＤ部を複数個設けることにより、欠陥に強い情報記録媒体となる。
【０１４０】
次に、図９を用いて、本発明の第４の実施形態による記録再生装置について説明する。
図９は、本発明の第４の実施形態による記録再生装置である光ディスク装置のブロック図である。
【０１４１】
図９において、図３と同一符号は、同一部分を示しており、その構成・動作については、図３において説明したとおりであるので、その詳細な説明は省略する。図９に示した実施形態において、図３の実施形態と相違する主たる点は、ＩＤ３検出回路８２，ＩＤ４検出回路８３，比較回路８８及び比較回路８９を追加した点にある。また、この追加に伴い、オアゲート４１０，４１１を設けてある。なお、本実施形態の記録再生装置において記録再生に使用する光ディスクは、図１及び図８において説明したような構成を有するものである。
【０１４２】
コントロ−ラ８０４は、セクタパルス３３と、ＩＤ１検出ゲ−ト信号７７と、ＩＤ２検出ゲ−ト信号７８と、ＩＤ３検出ゲ−ト信号８４と、ＩＤ４検出ゲ−ト信号８５とを出力する。
【０１４３】
セクタパルス３３は、セクタマ−ク検出信号８１のタイミングを基準として、再生信号のＩＤ１部３０１の中のＶＦＯ部でパルスを出力する。ＩＤ１検出ゲ−ト信号７７は、ＩＤ１部３０１の内同期マ−クとアドレス番号とＣＲＣ部の領域で”Ｈ”レベルとなるゲ−ト信号である。また、ＩＤ２検出ゲ−ト信号７８は、ＩＤ２部３０２の内同期マ−クとアドレス番号とＣＲＣ部の領域で”Ｈ”レベルとなるゲ−ト信号である。
【０１４４】
さらに、ＩＤ３検出ゲ−ト信号８４は、ＩＤ３部３０３の内同期マ−クとアドレス番号とＣＲＣ部の領域で”Ｈ”レベルとなるゲ−ト信号である。ＩＤ４検出ゲ−ト信号８５は、ＩＤ４部３０４の内同期マ−クとアドレス番号とＣＲＣ部の領域で”Ｈ”レベルとなるゲ−ト信号である。
【０１４５】
ＩＤ１検出回路５９は、セクタパルス３３でリセットされ、ＩＤ１検出ゲ−ト信号７７が”Ｈ”レベルとなる期間においてＩＤ番号を検出し、ＩＤ１番号検出値６８を比較回路６２に出力する。ＩＤ２検出回路６０は、セクタパルス３３でリセットされ、ＩＤ２検出ゲ−ト信号７８が”Ｈ”レベルとなる期間においてＩＤ番号を検出し、ＩＤ２番号検出値６９を比較回路６３に出力する。
【０１４６】
ＩＤ３検出回路８２は、セクタパルス３３でリセットされ、ＩＤ３検出ゲ−ト信号８４が”Ｈ”レベルとなる期間においてＩＤ番号を検出し、ＩＤ３番号検出値９０を比較回路８８に出力する。
【０１４７】
ＩＤ４検出回路８３は、セクタパルス３３でリセットされ、ＩＤ４検出ゲ−ト信号８５が”Ｈ”レベルとなる期間においてＩＤ番号を検出し、ＩＤ４番号検出値９１を比較回路８９に出力する。
【０１４８】
コントロ−ラ８０４は、再生，記録，または消去等の処理を実行するセクタのトラック番号を、ＩＤ１・３指示値８６とＩＤ２・４指示値８７によって指示する。
【０１４９】
比較回路６２，６３，８８，８９は、それぞれ、ＩＤ１番号検出値６８とＩＤ１・３指示値８６の一致をとり、ＩＤ２番号検出値６９とＩＤ２・４指示値８７の一致をとり、ＩＤ３番号検出値９０とＩＤ１・３指示値８６の一致をとり、ＩＤ４番号検出値９１とＩＤ２・４指示値８７のビット毎に一致をとって、すべてのビットで一致したとき”Ｈ”レベルとなるＩＤ１検出信号４３４，ＩＤ２検出信号４３５，ＩＤ３検出信号４３６，ＩＤ４検出信号４３７を出力する。
【０１５０】
ＩＤ１検出信号４３４とＩＤ３検出信号４３６の何れかが”Ｈ”レベルのとき、オアゲ−ト４１０の出力信号４２７は”Ｈ”レベルとなり、ＩＤ２検出信号４３５とＩＤ４検出信号４３７の何れかが”Ｈ”レベルのとき、オアゲ−ト４１１の出力信号４２８は”Ｈ”レベルとなる。
【０１５１】
出力信号４２７と出力信号４２８の両方が”Ｈ”レベルのとき、アンドゲ−ト４１２の出力であるＩＤ検出信号４２９は”Ｈ”レベルとなり、処理を実行するセクタを検出できたことを示している。ＩＤ検出信号４２９は、コントロ−ラ８０４に送られ、ＩＤの検出状況を報告すると共に、アンドゲ−ト５４，５３に送られる。
【０１５２】
一方、コントロ−ラ８０４は、記録処理実行時に光ディスクに記録するデ−タである書込み（ＷＲ）デ−タ６５と、記録または消去処理実行時に再生信号３１のデ−タ部で”Ｈ”レベルとなるゲ−ト信号であるＷＲゲ−ト６６を、それぞれアンドゲ−ト５４，５３に送出する。記録または消去時には、レ−ザ光源駆動回路５６は、アンドゲ−ト５４，５３の出力信号により制御され、消去を行うタイミングやマ−クを記録するタイミングでレ−ザ光源５７のレ−ザパワ−を強くして、記録または消去を行う。
【０１５３】
ＩＤまたはデ−タの再生時には、ＷＲデ−タ６５には記録するデ−タは出力されず、ＷＲゲ−ト６６はオフし、これによって、レ−ザ光源駆動回路５６は記録または消去時と比較して相対的に弱い光をレ−ザ光源５７に発光させる。また、復調回路７５は光ディスク上のデ−タ部１に所定の変調をかけて記録されたユ−ザデ−タの再生信号３１を復調し、コントロ−ラ８０４に送出する。
【０１５４】
コントロ−ラ８０４の内部には光ディスクに記録したいユ−ザデ−タに所定の変調を施す変調回路を設け、変調後のデ−タをＷＲデ−タ６５として出力する。変調方式としては１−７ＲＬＬ変調や２−７ＲＬＬ変調等を用いても良い。ただし、コントロ−ラ８０４内部の変調回路と、復調回路７５が同じ変調方式に対応するように構成する。
【０１５５】
次に、コントローラ８０４が出力するＩＤ１・３指示値８６とＩＤ２・４指示値８７について説明する。
【０１５６】
図８において説明したように構成された光ディスクの記録，再生，及び，消去を行う場合、ランド４に対しては、ＩＤ１・３指示値８６とＩＤ２・４指示値８７に処理を行うランドに対応する同じトラック番号を設定する。また、グル−ブ５に対しては、処理を行うグル−ブに対応する互いに異なるトラック番号をＩＤ１・３指示値８６とＩＤ２・４指示値８７に設定する。グル−ブ５では図８のＩＤ部２に対応させて、ＩＤ１部３０１，ＩＤ３部３０３のトラック番号に比べ、ＩＤ２部３０２，ＩＤ４部３０４のトラック番号は１トラック大きな値に設定する。このように設定されたＩＤ１・３指示値８６と、ＩＤ１番号検出値６８とＩＤ３番号検出値９０の何れかが一致し、かつ、ＩＤ２・４指示値８７と、ＩＤ２番号検出値６９とＩＤ４番号検出値９１の何れかが一致したことを比較回路６２，６３，８８，８９、オアゲ−ト４１０，４１１、アンドゲ−ト４１２を用いて検出して、これを条件に処理を実行する。
【０１５７】
ＩＤ３検出回路８２およびＩＤ４検出回路８３は、例えば、図３において説明したＩＤ１検出回路５９またはＩＤ２検出回路６０と同様な回路構成とする。ＩＤ１部３０１，ＩＤ２部３０２，ＩＤ３部３０３，及びＩＤ４部３０４に対応した検出ゲ−トとして、ＩＤ１検出ゲ−ト７７，ＩＤ２検出ゲ−ト７８，ＩＤ３検出ゲ−ト８４，及びＩＤ４検出ゲ−ト８５の４つのゲ−ト信号を用い、タイミングで区別して、ＩＤの検出を行っている。
【０１５８】
次に、図１０を用いて、本発明の第４の実施形態による光ディスク装置の動作について説明する。
図１０は、本発明の第４の実施形態による光ディスク装置の記録時のタイムチャートである。
【０１５９】
図１０は、図８に示した光ディスクのトラック番号２グル−ブ１８６のセクタ番号”４”のセクタに記録を行うときのＩＤ部のタイミングを拡大したものである。
【０１６０】
図１０（Ａ）〜（Ｅ）は、それぞれ、図４（Ａ）〜（Ｅ）に対応するものであり、図１０（Ｈ），（Ｉ）は、それぞれ、図４（Ｆ），（Ｇ）に対応するものであり、図１０（Ｓ）〜（Ｖ）は、それぞれ、図４（Ｍ）〜（Ｐ）に対応するものである。
【０１６１】
再生信号３１のセクタマ−ク３１４を検出し、セクタマ−ク検出信号８１にパルス信号が出力する。検出パルスを基準として、コントロ−ラ８０４は、ＶＦＯ部３２１付近においてセクタパルス３３のパルス信号を出力し、一方同期マ−ク３２２，アドレス番号３２３，ＣＲＣ部３２４の領域を示すゲ−ト信号であるＩＤ１検出ゲ−ト信号７７と、同期マ−ク３２６，アドレス番号３２７，ＣＲＣ部３２８の領域を示すゲ−ト信号であるＩＤ２検出ゲ−ト信号７８と、同期マ−ク３３０，アドレス番号３３１，ＣＲＣ部３３２の領域を示すゲ−ト信号であるＩＤ３検出ゲ−ト信号８４と、同期マ−ク３３４，アドレス番号３３５，ＣＲＣ部３３６の領域を示すゲ−ト信号であるＩＤ４検出ゲ−ト信号８５とを出力する。
【０１６２】
図１０（Ｆ）は、図９に示すコントローラ８０４が出力するゲ−ト信号ＩＤ３検出ゲ−ト信号８４を示している。コントローラ８０４は、セクタマ−ク検出信号８１の検出パルスを基準として、同期マ−ク３３０，アドレス番号３３１，ＣＲＣ部３３２の領域において”Ｈ”レベルとなるＩＤ３検出ゲ−ト信号８４を出力する。
【０１６３】
図１０（Ｇ）は、図９に示すコントローラ８０４が出力するゲ−ト信号ＩＤ２検出ゲ−ト信号８５を示している。コントローラ８０４は、セクタマ−ク検出信号８１の検出パルスを基準として、同期マ−ク３３４，アドレス番号３３５，ＣＲＣ部３３６の領域において”Ｈ”レベルとなるＩＤ４検出ゲ−ト信号８５を出力する。
【０１６４】
また、図１０（Ｌ），（Ｍ）に示すように、コントロ−ラ８０４は、処理を行うセクタのアドレスをＩＤ１・３指示値８６とＩＤ２・４指示値８７に設定する。ＩＤ１・３指示値８６とＩＤ２・４指示値８７は、１セクタの処理を行う場合は当該セクタのＩＤ部が検出される前のタイミングに設定する。また、連続して複数のセクタの処理を行う場合には処理セクタの先頭のＩＤ番号を設定し、先頭セクタの処理を行ってから、２セクタ目以降、セクタパルス３３のタイミングでセクタ番号が１づつ増加するようにする。
【０１６５】
図１０（Ｈ）に示すように、ＩＤ１番号検出値６８は、セクタパルス３３のパルス信号によってリセットされた後、ＩＤ１検出ゲ−ト７７が”Ｈ”レベルの期間にＩＤ１部のアドレス番号３２３を読み取り、その値である例えばトラック番号”２”，セクタ番号”４”がセットされる。
【０１６６】
図１０（Ｉ）に示すように、ＩＤ２番号検出値６９は、セクタパルス３３のパルス信号によってリセットされた後、ＩＤ２検出ゲ−ト７８が”Ｈ”レベルの期間にＩＤ２部のアドレス番号３２７を読み取り、その値である例えばトラック番号”３”，セクタ番号”４”がセットされ、次のセクタのセクタパルス３３のパルス信号のタイミングまで保持する。
【０１６７】
図１０（Ｊ）に示すように、ＩＤ３番号検出値９０はセクタパルス３３のパルス信号によってリセットされた後、ＩＤ３検出ゲ−ト８４が”Ｈ”レベルの期間にＩＤ３部のアドレス番号３３１を読み取りその値である例えばトラック番号２、セクタ番号４がセットされ、次のセクタのセクタパルス３３のパルス信号のタイミングまで保持する。
【０１６８】
図１０（Ｋ）に示すように、ＩＤ４番号検出値９１はセクタパルス３３のパルス信号によってリセットされた後、ＩＤ４検出ゲ−ト８５が”Ｈ”レベルの期間にＩＤ４部のアドレス番号３３５を読み取り、その値である例えばトラック番号”３”，セクタ番号”４”がセットされ、次のセクタのセクタパルス３３のパルス信号のタイミングまで保持する。
【０１６９】
セクタパルス３３でリセットされた時のＩＤ１番号検出値６８，ＩＤ２番号検出値６９，ＩＤ３番号検出値９０，及びＩＤ４番号検出値９１としては、例えば，図１０（Ｈ）〜（Ｌ）に示すように、トラック番号”０”，セクタ番号”０”と設定してもよいが、媒体上のトラック番号”０”，セクタ番号”０”のセクタの処理の実行時にＩＤを誤検出する恐れが有るため、トラック番号やセクタ番号として媒体上に有りえない番号に設定することがより望ましい。
【０１７０】
図１０（Ｎ）に示すように、ＩＤ１検出信号４３４は、ＩＤ１番号検出値６８にトラック番号”２”，セクタ番号”４”がセットされると、ＩＤ１・３指示値８６と一致して、”Ｈ”レベルとなる。
【０１７１】
図１０（Ｏ）に示すように、ＩＤ２検出信号４３５は、ＩＤ２番号検出値６９にトラック番号３、セクタ番号４がセットされると、ＩＤ２・４指示値８７と一致して”Ｈ”レベルとなる。
【０１７２】
図１０（Ｐ）に示すように、ＩＤ３検出信号４３６は、ＩＤ３番号検出値９０にトラック番号２、セクタ番号４がセットされると、ＩＤ１・３指示値８６と一致して、”Ｈ”レベルとなる。
【０１７３】
一方、図１０（Ｑ）に示すように、ＩＤ４検出信号４３７は、ＩＤ４番号検出値９１にトラック番号３、セクタ番号４がセットされると、ＩＤ２・４指示値８７と一致して”Ｈ”レベルとなる。
【０１７４】
ＩＤ１検出信号４３４とＩＤ３検出信号４３６，及びＩＤ２検出信号４３５とＩＤ４検出信号４３７が、すべて後に続くデ−タ部を全て含む領域で”Ｈ”レベルとなり、これらより生成されるＩＤ検出信号４２９も、図１０（Ｒ）に示すように、”Ｈ”レベルとなる。
【０１７５】
記録または消去時にＩＤ検出信号４２９が”Ｈ”レベルとなると、アンドゲ−ト５４と５３はオンし、コントロ−ラ８０４の出力のＷＲデ−タ６５とＷＲゲ−ト６６は、アンドゲ−ト５４、５３を介して、レ−ザ光線駆動回路へ送られ記録、または、消去を行う。
【０１７６】
再生時はＩＤ検出信号４２９が”Ｈ”レベルである場合に、デ−タ部に記録されたデ−タを復調デ−タ８１としてコントロ−ラ部８０４からホストコンピュ−タやパソコン等の上位装置に転送する。
【０１７７】
次に、図８及び図１１を用いて、光ディスク上に欠陥が生じた場合の動作について説明する。
図１１は、図８に示した本発明の他の実施形態による光ディスクから再生される再生信号の波形図である。
【０１７８】
図１１において、トラック番号０ランド再生信号１９１は、図８に示したトラック番号０ランド１８１から再生された信号を模式的に示しており、トラック番号０グルーブ再生信号１９２は、図８に示したトラック番号０グルーブ１８２から再生された信号を模式的に示している。他の再生信号１９３，…，２００も、それぞれ、図８に示したランド１８３，…，１８９、グルーブ１８４，…，１９０に対応した再生信号である。
【０１７９】
ここで、例えば、図８に示すように欠陥９０４が生じた場合には、図１１に示したトラック番号３グル−ブ再生信号１９８には、ＩＤ２部３０２に欠陥による波形異常９２４が発生して、ＩＤ２部３０２のアドレス信号は正しく再生できないことになる。一方、ＩＤ１部３０１とＩＤ３部３０３からはトラック番号”３”が再生され、これはトラック番号３ランド１９７のＩＤ１，ＩＤ３と同じ値であり、このことから両者を区別することはできない。
【０１８０】
しかしながら、ＩＤ２部には欠陥があるため正しく再生できないが、欠陥のないＩＤ４部３０４からは、トラック番号”４”が再生される。ＩＤ１部３０１またはＩＤ３部３０３の何れかのトラック番号が”３”と再生され、かつ、ＩＤ２部３０２またはＩＤ４部３０４の何れかのトラック番号が”４”のトラックは、図１１からわかるように、図８のトラック番号３グル−ブ１８８に対応する図１１のトラック番号３グル−ブ再生信号１９８だけである。
【０１８１】
従って、欠陥９０４のような高々１個の欠陥がＩＤ部２に存在してもトラックを識別でき、図９に示した光ディスク装置は、記録，再生，及び消去の処理を実行できる。即ち、欠陥のあるＩＤ２部３０２に対応するＩＤ２検出信号４３５は、”Ｌ”レベルとなるが、それ以外のＩＤ１検出信号４３４，ＩＤ３検出信号４３６，及びＩＤ４検出信号４３７は、”Ｈ”レベルとなる。その結果、オアゲ−ト４１０の出力４２７とオアゲ−ト４１１の出力４２８は”Ｈ”レベルとなり、アンドゲ−ト４１２の出力のＩＤ検出信号４２９は”Ｈ”レベルとなり、記録，再生，及び消去の処理を実行する。
【０１８２】
以上述べたように、トラックの境界の片側に複数回アドレス番号が記録され、他方の側の境界に複数回アドレス番号が記録されている光ディスクを用いる本実施形態による光ディスク装置は、トラックの片側に複数回記録されているアドレス番号のうち少なくとも一つが検出でき、かつ、トラックの他方の側の境界に複数回記録されているているアドレス番号のうち少なくとも一つが検出できたことにより、そのセクタを特定して処理を実行するため、複数回記録されたアドレス番号に所定数以下の欠陥があっても、セクタを特定できる欠陥に強いものとなる。
【０１８３】
なお、例えば、図８に示すように欠陥９０２，９０３が生じた場合には、図１１に示したトラック番号１グル−ブ再生信号１９４には、ＩＤ２部３０２とＩＤ４部３０４に欠陥による波形異常９２２，９２３が発生して、ＩＤ２とＩＤ４のアドレス信号は正しく再生できないことになる。ＩＤ１部３０１とＩＤ３部３０３からはトラック番号”１”が再生されるが、これはトラック番号１ランド１９３のＩＤ１，ＩＤ３と同じ値であり、両者を区別できないことになる。
【０１８４】
ＩＤ１部３０１またはＩＤ３部３０３が指示したトラック番号と一致することだけを条件として、トラック番号１グル−ブ１８４の記録または消去を行うと、誤ってトラック番号１ランド１８３に光ヘッドを位置づけた場合、これを検出できず、トラック番号１ランド１８３に既に記録されているデ−タを破壊することになる。
【０１８５】
また、デ−タの再生時に同様なことがあると、要求されたものと異なるトラック番号１ランド１８３のデ−タを転送することになる。
【０１８６】
光ディスク上に形成された欠陥による誤動作を防止するため、本実施形態においては、ＩＤ１，ＩＤ２，ＩＤ３及びＩＤ４をそれぞれ検出ゲ−トによって個別に検出し、ＩＤ１とＩＤ３の何れかがその指示値と一致し、かつ、ＩＤ２とＩＤ４の何れかがその指示値と一致していたことを条件に記録，消去，及び再生等の処理を行うようにしている。
【０１８７】
即ち、本実施形態においては、図８に示した光ディスクのトラック番号１グル−ブ１８４の処理実行時には、ＩＤ１・３指示値８６にはトラック番号として”１”を設定し、ＩＤ２・４指示値８７にはトラック番号として”２”を設定する。この時、誤ってトラック番号１ランド１８３に位置付けた場合、ＩＤ１検出回路５９とＩＤ３検出回路８２ではトラック番号”１”が検出され、ＩＤ１・３指示値８６と一致して、ＩＤ１検出信号４３４とＩＤ３検出信号４３６は”Ｈ”レベルとなる。一方、ＩＤ２検出回路６０とＩＤ４検出回路８３ではトラック番号”１”が検出されるが、ＩＤ２・４指示値８７にはトラック番号”２”が設定されているため、比較回路６３，８９において一致せず、ＩＤ２検出信号４３５とＩＤ４検出信号４３７は”Ｌ”レベルとなる。オアゲ−ト４１０の出力信号４２７は”Ｈ”レベルとなるが、オアゲ−ト４１１の出力信号４２８はＩＤ２，ＩＤ４ともに検出されないため”Ｌ”レベルとなる。出力信号４２７と出力信号４２８の論理積をとって生成されるＩＤ検出信号４２９は、”Ｌ”レベルとなり、ＩＤを正常に検出できなかったことをコントロ−ラ８０４に報告すると共に、アンドゲ−ト５４とアンドゲ−ト５３において、ゲ−トをオフしてＷＲデ−タ６５とＷＲゲ−ト６６がレ−ザ光源駆動回路５６に送られないようにする。
【０１８８】
このように記録時に光スポットを誤ったトラックに位置付けた場合に記録処理を中止して、ユ−ザデ−タを保護する。また、再生時にはＩＤ検出信号４２９が”Ｌ”レベルのとき、コントロ−ラ８０４は復調デ−タ８１を上位装置に転送する処理を中止する。これにより誤ったデ−タが上位装置に転送されることを防止できる。
【０１８９】
上述したように、図８に示すような光ディスクにおいては、ＩＤ１とＩＤ３の両方、または、ＩＤ２とＩＤ４の両方が正しく再生できない場合、そのセクタを特定できないが、このような場合ＩＤ検出信号４２９は”Ｌ”レベルとなり、復調デ−タ７６の転送を行わず、誤ったセクタのデ−タを上位装置に転送することを防止できる。
【０１９０】
以上説明したように、本実施形態によれば、隣合うランドとグルーブを区別することができるので、誤った処理を防止することができる。
【０１９１】
また、アドレス番号を複数回記録するようにしているので、アドレス番号の記録部に欠陥があっても、セクタを特定できるようになる。
【０１９２】
次に、図１２を用いて、本発明の第５の実施形態による記録再生装置について説明する。
図１２は、本発明の第５の実施形態による記録再生装置である光ディスク装置のブロック図である。
【０１９３】
図１２において、図９と同一符号は、同一部分を示しており、その構成・動作については、図９において説明したとおりであるので、その詳細な説明は省略する。図１２に示した実施形態において、図９の実施形態と相違する主たる点は、ＩＤ１ＣＲＣ演算回路９３，ＩＤ２ＣＲＣ演算回路９４，ＩＤ３ＣＲＣ演算回路９５、及びＩＤ４ＣＲＣ演算回路９６を追加した点にある。また、この追加に伴い、アンドゲート４５３，４５４，４５５，４５６，４５９及びオアゲート４５７，４５８を設けてある。なお、本実施形態の記録再生装置において記録再生に使用する光ディスクは、図１及び図８において説明したような構成を有するものである。
【０１９４】
ＩＤ１ＣＲＣ演算回路９３は、コントローラ８０４が、セクタの最初に出力するセクタパルス３３によりリセットされる。そして、ＩＤ１検出ゲ−ト７７が”Ｈ”レベルの時に、再生信号３１のＩＤ１部のアドレス番号とＣＲＣ部をビット毎に取り込み、エラー検出のための所定の演算をするものである。
【０１９５】
ＩＤ２ＣＲＣ演算回路９４は、同様に、コントローラ８０４が、セクタの最初に出力するセクタパルス３３によりリセットされる。そして、ＩＤ２検出ゲ−ト７８が”Ｈ”レベルの時に、再生信号３１のＩＤ２部のアドレス番号とＣＲＣ部をビット毎に取り込み、所定の演算する。
【０１９６】
ＩＤ３ＣＲＣ演算回路９５は、コントローラ８０４が、セクタの最初に出力するセクタパルス３３によりリセットされる。そして、ＩＤ３検出ゲ−ト８４が”Ｈ”レベルの時に再生信号３１のＩＤ３部のアドレス番号とＣＲＣ部をビット毎に取り込み、所定の演算する。
【０１９７】
ＩＤ４ＣＲＣ演算回路９６は、コントローラ８０４が、セクタの最初に出力するセクタパルス３３によりリセットされる。そして、ＩＤ４検出ゲ−ト８５が”Ｈ”レベルの時に再生信号３１のＩＤ４部のアドレス番号とＣＲＣ部をビット毎に取り込み、所定の演算する。
【０１９８】
ＩＤ１ＣＲＣ演算回路９３は、例えば、ＩＤ１検出ゲ−ト７７が”Ｈ”レベルの時に、再生信号３１の同期マ−ク３０７を検出する同期マ−ク検出回路と、この検出タイミング以降の所定の変調をかけて記録されているアドレス番号３１２とＣＲＣ部３１０とを復調する復調回路と、前記検出タイミング以降の復調されたアドレス番号３１２とＣＲＣ部３１０をビット毎に取り込むシフトレジスタと、このシフトレジスタのビット毎の出力を、ＣＲＣ部３１１の構成方法に対応する所定の演算を行う演算回路とより構成されている。
【０１９９】
ここで、”所定の演算”としては、例えば，アドレス番号３１２のすべての変調前のビットをモ−ド２で加算した結果の１ビットのデ−タを反転させ、これを変調してＣＲＣ部３１１に記録してある場合には、復調後のアドレス番号３１２とＣＲＣ部３１１の全ビットをモ−ド２で加算して、加算した結果が奇数の時”Ｈ”レベルを出力し、偶数の時”Ｌ”レベルを出力する方法を用いる。即ち、アドレス番号と、このアドレス番号を再生した値が正しいかどうか判定するためのＣＲＣ部３１１を少なくとも備えたＩＤ部の再生時に、これらを用いてアドレス番号をチェックし、正しいと判定された場合に”Ｈ”レベルとなる信号を出力し、次のセクタの先頭までそのレベルを保持するものである。
【０２００】
ＩＤ２ＣＲＣ演算回路９４，ＩＤ３ＣＲＣ演算回路９５，及びＩＤ４ＣＲＣ演算回路９６は、検出ゲ−トとして、それぞれＩＤ２検出ゲ−ト７８，ＩＤ３検出ゲ−ト８４，ＩＤ４検出ゲ−ト８５を用いて、それぞれのタイミングで区別して演算を行うが、それ以外の点ではＩＤ１ＣＲＣ演算回路９３と同一の構成のものである。
【０２０１】
アンドゲ−ト４５３は、ＩＤ１検出信号４３４が”Ｈ”レベルで、かつ，ＩＤ１ＣＲＣ検出信号５１３が”Ｈ”レベルのときに出力が”Ｈ”レベルとなる。アンドゲ−ト４５４は、ＩＤ２検出信号４３５が”Ｈ”レベルで、かつ，ＩＤ２ＣＲＣ検出信号５１４が”Ｈ”レベルのときに出力が”Ｈ”レベルとなる。アンドゲ−ト４５５は、ＩＤ３検出信号４３６が”Ｈ”レベルでかつＩＤ３ＣＲＣ検出信号５１５が”Ｈ”レベルのときに出力が”Ｈ”レベルとなる。アンドゲ−ト４５６は、ＩＤ４検出信号４３７が”Ｈ”レベルでかつＩＤ４ＣＲＣ検出信号５１６が”Ｈ”レベルのときに出力が”Ｈ”レベルとなる。
【０２０２】
さらに、オアゲ−ト４５７は、４５３と４５５の出力の何れかが”Ｈ”レベルの時、出力が”Ｈ”レベルとなる。オアゲ−ト４５８は、４５４と４５６の出力の何れかが”Ｈ”レベルの時、出力が”Ｈ”レベルとなる。アンドゲ−ト４５９は、オアゲ−ト４５７とオアゲ−ト４５８の出力の両方が”Ｈ”レベルの時、その出力のＩＤ検出信号５０２が”Ｈ”レベルとなる。
【０２０３】
次に、本実施形態の動作について説明する。
処理を行うセクタのＩＤ部に欠陥のない場合には、ＩＤ１検出信号４３４，ＩＤ２検出信号４３５，ＩＤ３検出信号４３６，ＩＤ４検出信号４３７，ＩＤ１ＣＲＣ検出信号５１３，ＩＤ２ＣＲＣ検出信号５１４，ＩＤ３ＣＲＣ検出信号５１５，ＩＤ３ＣＲＣ検出信号５１６は、何れも”Ｈ”レベルとなる。その結果ＩＤ検出信号５０２は”Ｈ”レベルとなる。
【０２０４】
従って、再生時には、コントロ−ラ８０４は、ＩＤ検出信号５０２が”Ｈ”レベルとなることから、ＩＤが正しく検出できたことを認識し、復調したユ−ザデ−タ７６を上位装置に転送する。
【０２０５】
また、記録または消去時には、ＩＤ検出信号５０２が”Ｈ”レベルとなると、アンドゲ−ト５４，５３がオンして、ＷＲデ−タ６５及びＷＲゲ−ト６６をレ−ザ光源駆動回路５６に送出して、記録または消去を実行する。
【０２０６】
例えば、処理を行うセクタのＩＤ１のアドレス部に欠陥が有る場合には、ＩＤ１検出信号４３４とＩＤ１ＣＲＣ検出信号５１３がともに”Ｌ”レベルとなるが、それ以外のＩＤ２検出信号４３５，ＩＤ３検出信号４３６，ＩＤ４検出信号４３７，ＩＤ２ＣＲＣ検出信号５１４，ＩＤ３ＣＲＣ検出信号５１５，ＩＤ４ＣＲＣ検出信号５１６が”Ｈ”レベルとなるため、ＩＤ検出信号５０２は”Ｈ”レベルとなり、これによりデ−タの記録，再生，消去を行える。図８に示した光ディスクにおいて、トラックの中心より図中上側のトラックとの境界に設けたプリピットと、下側のトラックとの境界に設けたプリピットにそれぞれ２回ずつアドレス情報が記録されており、本実施形態による光ディスク装置では、それぞれ少なくとも１回ずつ正しく再生できたことを条件にセクタを特定する。このため、本実施形態においては、ＩＤ部に高々１か所の欠陥が有ったとしても、それ以外のＩＤからセクタを特定して処理を実行できる。
【０２０７】
一方、例えば、ＩＤ部に複数の欠陥があり、処理を行うセクタではないのに、欠陥によりアドレス番号が誤って再生され、例えば、ＩＤ１番号検出値６８とＩＤ２番号検出値６９が処理を行うセクタのアドレス番号とたまたま一致した場合でも、ＩＤ１検出信号４３４とＩＤ２検出信号４３５は”Ｈ”レベルとなるが、ＩＤ１ＣＲＣ検出信号５１３とＩＤ２ＣＲＣ検出信号５１４は欠陥により”Ｌ”レベルのままでＩＤ１とＩＤ２が誤っていることを示す。ＩＤ３とＩＤ４は正常に再生され、処理を行うセクタではないので、比較回路８８と比較回路８９において一致せず、ＩＤ３ＣＲＣ検出信号５１５とＩＤ４ＣＲＣ検出信号５１６はともに”Ｈ”レベルとなるが、ＩＤ３検出信号４３６とＩＤ４検出信号４３７はともに”Ｌ”レベルとなる。従って、アンドゲ−ト４５３，４５４，４５５，４５６の出力はすべて”Ｌ”レベルとなり、その結果ＩＤ検出信号５０２は”Ｌ”レベルとなる。これにより、再生時には上位装置へのデ−タの転送を停止し、記録または消去時には処理を行わないので、デ−タ異常となることを防止できる。
【０２０８】
以上述べたように、本実施形態におては、欠陥によってアドレス情報が誤って再生された場合においても、ＣＲＣ部に記録されたチェックコ−ドを用いて、アドレス情報の妥当性を、トラックの中心より図中上側の隣接トラックとの境界のプリピットと下側のプリピットの両方の再生信号についてチェックすることにより、アドレス情報の誤りを検出しデ−タを保護する。
【０２０９】
以上説明したように、本実施形態によれば、隣合うランドとグルーブを区別することができるので、誤った処理を防止することができる。
【０２１０】
また、アドレス番号を複数回記録するようにしているので、アドレス番号の記録部に欠陥があっても、セクタを特定できるようになる。
【０２１１】
また、アドレス番号を誤って再生した場合にも、エラーチェックを行うことにより、誤った処理を防止することができる。
【０２１２】
次に、図１３及び図１４を用いて、本発明の第６の実施形態による記録再生装置について説明する。
図１３は、本発明の第６の実施形態による記録再生装置である光ディスク装置のブロック図である。
【０２１３】
図１３において、図１２と同一符号は、同一部分を示しており、その構成・動作については、図１２において説明したとおりであるので、その詳細な説明は省略する。図１３に示した実施形態において、図１２の実施形態と相違する主たる点は、演算回路ａ１０１，演算回路ｂ１０２，演算回路ａ１０３，演算回路ｂ１０４，セレクト回路１３０及び切り替え条件設定回路１１９を追加した点にある。また、この追加に伴い、比較回路１２１を設けてある。なお、本実施形態の記録再生装置において記録再生に使用する光ディスクは、図１及び図８において説明したような構成を有するものである。
【０２１４】
演算回路ａ１０１は、ＩＤ１番号検出値６８から変換後の第一のアドレス番号５５４を生成する。演算回路ａ１０１が行う演算については、後述する。
【０２１５】
演算回路ｂ１０２は、ＩＤ１番号検出値６８から変換後の第二のアドレス番号５５５を生成する。
【０２１６】
演算回路ａ１０３は、ＩＤ３番号検出値９０から変換後の第三のアドレス番号５６６を生成する。
【０２１７】
演算回路ｂ１０４は、ＩＤ３番号検出値９０から変換後の第四のアドレス番号５６７を生成する。
【０２１８】
セレクタ回路１２０は、変換後の第一のアドレス番号５５４，第二のアドレス番号５５５，第三のアドレス番号５６６，第四のアドレス番号５６７，及びＧＮＤ５５６を、切り替え条件設定回路１１９が出力する切替信号５５３によって切替る。
【０２１９】
切り替え条件設定回路１１９は、ＩＤ１番号検出値６８，ＩＤ２番号検出値６９，ＩＤ３番号検出値９０，ＩＤ４番号検出値９１，ＩＤ１ＣＲＣ検出信号５１３，ＩＤ２ＣＲＣ検出信号５１４，ＩＤ３ＣＲＣ検出信号５１５，及びＩＤ４ＣＲＣ検出信号５１６の値に基づいて、図１４に示す条件に従って、切替信号５５３を生成する。
【０２２０】
比較回路１２１は、セレクト回路１２０の出力信号５５７とコントロ−ラ８０６が出力するＩＤ番号指示値５５８の一致をとって検出し、一致した場合にその出力が”Ｈ”レベルとなる。
【０２２１】
次に、演算回路ａ１０１，演算回路ｂ１０２，演算回路ａ１０３及び演算回路ｂ１０４の演算内容について説明する。
図８に示した光ディスクにおいては、同じＩＤ１番号に対応したランドとグル−ブの２つのセクタがあるが、演算回路ａ１０１と演算回路ｂ１０２は、この２つのセクタを区別して、ユニ−クなそれぞれランド，グル−ブに対応したＩＤ番号を生成する。同様に、同じＩＤ３番号に対応したランドとグル−ブの２つのセクタがあるが、演算回路ａ１０３と演算回路ｂ１０４は、この２つのセクタを区別して、ユニ−クなそれぞれランド，グル−ブに対応したＩＤ番号を生成する。例えば、再生したＩＤ１番号検出値６８またはＩＤ３番号検出値９０のうち、トラック番号を”ｎ”としたとき、演算回路ａ１０１，１０３は、変換後のトラック番号”２ｎ”を出力し、演算回路ｂ１０２，１０４は、変換後のトラック番号”（２ｎ＋１）”を出力し、それぞれのセクタ番号は変換せずそのまま出力する。
【０２２２】
また、別の方式の演算回路にあっては、再生したＩＤ１番号検出値６８またはＩＤ３番号検出値９０のうち、トラック番号を”ｎ”，媒体上に記録されたトラック番号の最大値を”Ｎ”としたとき、演算回路ａ１０１，１０３は、変換後のトラック番号”ｎ”を出力し、演算回路ｂ１０２，１０４は、変換後のトラック番号”（Ｎ＋ｎ）”を出力し、それぞれのセクタ番号は変換せずそのまま出力する。
【０２２３】
また、さらに別の方式の演算回路にあっては、演算回路ａ１０１，１０３は、再生したＩＤ１番号検出値６８，ＩＤ３番号検出値９０の最上位ビットとして１ビット追加して、その最上位ビットに”０”を設定して出力し、演算回路ｂ１０２，１０４は、再生したＩＤ１番号検出値６８，ＩＤ３番号検出値９０の最上位ビットとして１ビット追加して、その最上位ビットに”１”を設定して出力する。
【０２２４】
次に、図１４を用いて、切り替え条件設定回路１１９が出力するセレクタ回路１２０の切り替え条件について説明する。
図１４は、本発明の第６の実施形態による記録再生装置におけるセレクタ回路の切り替え条件の説明図である。
【０２２５】
図８に示した光ディスクにおいては、ランド４においては、ＩＤ１部３０１及びＩＤ３部３０３と、ＩＤ２部３０２及びＩＤ４部３０４のトラック番号が同じ値に設定され、グル−ブ５においては異なる値に設定されている。
【０２２６】
従って、切り替え条件設定回路１１９は、ＩＤ１部３０１またはＩＤ３部３０３と、ＩＤ２部３０２またはＩＤ４部３０４のトラック番号が一致していた場合、そのトラックをランドと判定し、一致していない場合、グル−ブと判定する。
【０２２７】
一方、再生されるＩＤ番号は、欠陥等により誤って読み取られる場合が有るので、ＣＲＣの演算結果より正常と判定されたＩＤ番号検出値を用いて変換後のＩＤ番号を生成する。
【０２２８】
即ち、切り替え条件設定回路１１９は、少なくとも、ＩＤ１とＩＤ３の何れか、かつ、ＩＤ２とＩＤ４の何れかのＩＤのＣＲＣの演算結果よりＩＤが正常と判定でき、この正常と判定できた（ＣＲＣ検出信号が”Ｈ”レベルとなった）ところのＩＤ１とＩＤ３の何れかと、ＩＤ２とＩＤ４の何れかとが一致していた場合ランド、不一致の場合グル−ブと判定する。
【０２２９】
切り替え条件設定回路１１９がランドと判定した場合、セレクタ回路１２０は、切り替え信号５５３によって、演算回路ａ１０１または１０３の出力信号を選択し、グル−ブと判定した場合、演算回路ｂ１０２または１０４の出力信号を選択する。ＩＤ１とＩＤ３の両方またはＩＤ２とＩＤ４の両方が、ＣＲＣの演算結果より正常に検出できない場合、セクタのＩＤの検出は無効と判定し、セレクタ回路１２０は、ＧＮＤ５５６を選択する。
【０２３０】
ランドと判定された場合、セレクタ回路１２０は、ＩＤ１番号検出値６８から変換後のＩＤ番号を生成する演算回路ａ１０１とＩＤ３番号検出値９０から変換後のＩＤ番号を生成する演算回路ａ１０３の出力のうち、ＣＲＣの演算結果よりＩＤが正常と判定された方を選択する。両方のＩＤが正常の場合はどちらを用いても良いが、図１４に示す例では、演算回路ａ１０１を優先とするように設定している。
【０２３１】
また、グル−ブと判定された場合、セレクタ回路１２０は、演算回路ｂ１０２と１０４の出力の何れか、ＣＲＣの演算結果よりＩＤが正常と判定された方を選択する。両方のＩＤが正常の場合はどちらを用いても良いが、図１４に示す例では、演算回路ｂ１０２を優先とするように設定している。
【０２３２】
このように、セレクタ回路１２０において演算回路ａ１０１，１０３と、演算回路ｂ１０２，１０４とを切り替えて、セレクタ回路１２０は、ランドではランドに対応した変換後のＩＤ番号を出力し、グル−ブではグル−ブに対応した変換後のＩＤ番号を出力する。
【０２３３】
コントロ−ラ８０６は処理を行いたいセクタのＩＤ番号をあらかじめ、演算回路ａ１０１及び１０３、もしくは、演算回路ｂ１０２及び１０４の出力に対応する形式でＩＤ番号指示値５５８として比較回路１２１に設定する。光ヘッドをセクタの存在するトラックに位置付けトラッキングをかけ、光ディスクの回転によりレ−ザスポットが処理を行いたいセクタのＩＤ部にさしかかると、セレクタ出力５５７とＩＤ番号指示値５５８の一致することが比較回路１２１において検出され、その出力信号のＩＤ検出信号５５９は”Ｈ”レベルとなる。
【０２３４】
記録時または消去時は、ＩＤ検出信号５５９が”Ｈ”レベルである場合にのみ、アンドゲ−ト５４，５３をオンして、ＷＲデ−タ６５とＷＲゲ−ト６６をレ−ザ光源駆動回路５６に送出する。これにより、再生したＩＤ１番号とＩＤ３番号の両方、もしくは、ＩＤ２番号とＩＤ４番号４の両方に欠陥等による誤りがあってランドとグル−ブが識別できない場合や、処理を行いたいセクタと異なる場合はアンドゲ−ト５４，５３をオフして、記録及び消去処理を止めて、媒体上のユ−ザデ−タを保護する。
【０２３５】
また、再生時は、ＩＤ検出信号５５９が”Ｈ”レベルのときのみ、コントロ−ラ８０６は、復調デ−タ５６０を上位装置に転送する。これにより、再生したＩＤ１番号とＩＤ３番号の両方、もしくは、ＩＤ２番号とＩＤ４番号４の両方に欠陥等による誤りがあってランドとグル−ブが識別できない場合や、処理を行いたいセクタと異なる場合に誤ったデ−タを上位装置に転送することを防止する。
【０２３６】
また、本実施形態では、ランドとグル−ブを検出してこれにより演算回路ａ１０１，１０３と、演算回路ｂ１０２，１０４を切り替えて、ランドとグル−ブによらずにユニ−クな変換後のＩＤ番号５５７を生成している。従って、図９若しくは図１２に示した実施形態とは異なり、ＩＤ１番号及びＩＤ３番号と、ＩＤ２番号及びＩＤ４番号とを個別に設定する必要はなく、ＩＤ番号指示値５５８だけを設定すればよいため、コントロ−ラ８０６またはコントロ−ラ８０６を制御するマイクロプロセッサの処理が簡単になる。
【０２３７】
また、一般にコントロ−ラ８０６は、ここで述べたＩＤ番号指示値５５８によるＩＤ番号の指示や、ＩＤ１検出ゲ−トの生成等の処理を行うだけでなく、例えば再生したユ−ザデ−タを一時貯えた後に上位装置に転送し、記録するユ−ザデ−タを一時貯えた後にレ−ザ光線駆動回路へ転送し、上位装置と光ディスクとのタイミングを調停するメモリ回路とその制御回路や、少なくともレ−ザ光源からのレ−ザ光が媒体上に結ぶスポットの位置を移動する手段を有する光ヘッド部を制御し、光ディスク上のトラックの位置を検出するシ−ク制御回路等を備えて構成される。このようなコントロ−ラ８０６のＩＤ番号の設定方法を演算回路ａ１０１，１０３と演算回路ｂ１０２，１０４に対応する変換後のＩＤ番号として統一して用いれば、論理回路規模の削減が図れ、また、コントロ−ラ８０６を制御するマイクロプロセッサのプログラムの削減が図れる。
【０２３８】
以上説明したように、本実施形態によれば、隣合うランドとグルーブを区別することができるので、誤った処理を防止することができる。
【０２３９】
また、アドレス番号を複数回記録するようにしているので、アドレス番号の記録部に欠陥があっても、セクタを特定できるようになる。
【０２４０】
また、アドレス番号を誤って再生した場合にも、エラーチェックを行うことにより、誤った処理を防止することができる。
【０２４１】
また、コントローラの処理が簡単になる。
【０２４２】
さらに、論理回路の回路規模の削減を図れ、マイクロプロセッサのプログラムの削減を図れる。
【０２４３】
なお、上述した各実施形態の中で、図２及び図８に示した光ディスクにおいては、ＩＤ部２の先頭にセクタ−マ−ク３０５が設けられている例を示しているが、セクタマ−クが設けられていない場合にも本発明は適用できるものである。セクタマ−クのない光ディスクに本発明を適用する場合には、各実施形態のセクタマ−ク検出回路６１の代わりに再生信号のＩＤ部２の先頭パルスを検出し、検出したタイミングで検出パルスを出力する回路を用いる。
【０２４４】
また、デ−タ部１の終わりとＩＤ部２の先頭の間に信号の記録されていない領域がある場合には、セクタマ−ク検出回路６１の代わりに、所定時間再生信号が”Ｌ”レベルであることを検出することにより、この無信号領域を検出し、検出したタイミングで検出パルスを出力する回路や、この無信号領域を検出し、かつ、先頭パルスを検出した場合に先頭パルスを検出したタイミングで検出パルスを出力する回路を用いることもできる。
【０２４５】
以上述べた回路は、すべてＩＤ部２の先頭を検出する回路であるが、セクタマ−ク検出回路の代わりに用いることのできる回路はこれに限らない。要するに、光ディスクから再生した信号に同期し、ＩＤ部２とデ−タ部１からなるセクタに同期してコントロ−ラ８０１，８０３，８０４，８０６から出力される各ゲ−ト信号の基準となりえる信号を出力する回路であればどのように構成しても良く、例えば、ＩＤ部２の同期マ−ク３０７を検出し、検出したタイミングで検出パルスを出力する回路を用いることができる。
【０２４６】
図２及び図８に示した光ディスクにおいて、ランドとグル−ブの境界にもうけるプリピットに担わせる情報は、ＶＦＯ部３０６，同期マ−ク３０７，トラック番号３０８，ＩＤ識別番号３０９，セクタ番号３１０，及びＣＲＣ部３１１とから構成されているが、少なくとも、トラック番号とＣＲＣ部を含んだプリピットをランドとグル−ブの境界に設けてあれば良く、その他の情報はランドとグル−ブの境界に設けなくとも良い。即ち、ＶＦＯ部３０６，同期マ−ク３０７，ＩＤ識別番号３０９，及びセクタ番号３１０は、隣接するランドとグル−ブで同じピットパタ−ンに設定することが可能であり、ピットパタ−ンが同じ場合、クロスト−クが無視でき、特に境界に設ける必要は無いものである。少なくとも、トラック番号とＣＲＣ部が、図２若しくは図８に示すように、ランドとグル−ブの境界に設けられていれば、このような媒体に対しても本発明は適用することができる。
【０２４７】
また、図８に示したＩＤ部２の内、ランドにおいては、図中下側のグル−ブとの境界にＩＤ１部３０１とＩＤ３部３０３のプリピットを配置し、図中上側のグル−ブとの境界にＩＤ２部３０２とＩＤ４部３０４のプリピットを配置しているが、本発明はこのような記録媒体に限らず、ほかの記録媒体にも用いることができる。例えば、ランドにおいては下側のグル−ブとの境界にＩＤ１部とＩＤ２部のプリピットを配置し、これに引き続いて上側との境界にＩＤ３部とＩＤ４部のプリピットを配置した場合にも用いることができる。
【０２４８】
本発明においては、トラックの境界の片側に設けたプリピットに含まれるアドレス情報と、他方の側に設けたプリピットに含まれるアドレス情報をそれぞれ独立に検出することにより、セクタの位置を特定するものであり、両者の順番や数が変わってもこれに対応する検出回路を設けることにより、本発明を用いることができる。
【０２４９】
なお、上述した実施形態においては、情報記録媒体の同一のランドの上下に配置されるＩＤ１部及びＩＤ２部のプリピットに対して同じトラック番号を割り当てているが、これに限られるものではない。即ち、あるトラックの上側の境界と下側の境界のプリピットから再生されるＩＤ番号の組合せが、隣接するトラックの上側と下側の境界のプリピットから再生されるＩＤ番号の組合せと異なる媒体であれば、どのような媒体でも用いることができる。即ち、記録再生装置におけるＩＤ１番号指示値とＩＤ２番号指示値を独立に設定可能である場合には、ＩＤ番号の組合せは自由に設定することが可能である。
【０２５０】
上述した各実施形態においては、ＩＤ識別番号３０９を特に用いておらず、ＩＤ識別番号のない媒体にも適用できる。また、トラック番号３０８，ＩＤ識別番号３０９，セクタ番号３１０，ＣＲＣ部３１１の順番は、図示したものに限らずどのように設定しても良い。
【０２５１】
さらに、図２と図８に示した光ディスクにおいては、セクタを識別するために半径方向のアドレスであるトラック番号３０８と円周方向のアドレスであるセクタ番号３１０を設けているが、この区分けに限らない。トラック番号及びセクタ番号の２つの数値により表すのではなく、１つの数値で順次アドレス番号を割り振る構成においても本発明は適用可能である。
【０２５２】
例えば、溝をスパイラル状に設定し、この溝により作られるランドとグル−ブの両方にデ−タを記録する記録媒体で、かつ、ランドのアドレス番号（ＩＤ１とＩＤ２）は外周から内周にかけて、スパイラルにそって１セクタにつき１つずつ増加するように設定され、プリピットは図２と同様にランドとグル−ブの境界に設けられている場合には、図３に示した装置を用いる時に、ランドではＩＤ１番号指示値７０とＩＤ２番号指示値７１として、アドレス番号の設定方法に対応する同じアドレス番号を設定し、グル−ブではＩＤ１番号指示値とＩＤ２番号指示値の差は１トラック分のセクタ数に対応するように設定すれば良い。
【０２５３】
上述した各実施形態においては、説明の便宜上、ＩＤ１検出ゲ−ト信号，ＩＤ２検出ゲ−ト信号，ＩＤ３検出ゲ−ト信号，及びＩＤ４検出ゲ−ト信号のゲート幅を、ＩＤ１，ＩＤ２，ＩＤ３，及びＩＤ４の同期マ−ク３０７とアドレス番号３１２とＣＲＣ部３１１を含む領域というように規定しているがこれに限らない。即ち、ＩＤ１，ＩＤ２，ＩＤ３，及びＩＤ４を区別して排他的に検出可能なゲ−ト信号であれば、どのようなタイミングに設定しても良い。
【０２５４】
例えば、再生したアドレス番号を最後に取り込むレジスタ回路を、ＩＤ１，ＩＤ２，ＩＤ３，及びＩＤ４でそれぞれに設け、それぞれを取り込むトリガとなるパルスをＩＤ１検出ゲ−ト信号，ＩＤ２検出ゲ−ト信号，ＩＤ３検出ゲ−ト信号，及びＩＤ４検出ゲ−ト信号によって区別し、それぞれのレジスタに取り込むようにした場合、各検出ゲ−ト信号の幅は、トリガとなるパルスより広ければ、どのように設定しても良い。すなわち、本発明においては、各検出ゲ−トにより、１つのセクタに複数設けられたＩＤを区別して検出できれば、どのように設定しても良い。
【０２５５】
また、上述した各実施形態においては、ＩＤ１検出ゲ−ト信号，ＩＤ２検出ゲ−ト信号，ＩＤ３検出ゲ−ト信号，及びＩＤ４検出ゲ−ト信号を用いているが、本発明はこれらを用いなくとも良い。即ち、これらの検出ゲ−ト信号は、再生信号から生成される基準信号に対するＩＤ１，ＩＤ２，ＩＤ３，及び，ＩＤ４の相対位置の違いから、これらを再生したアドレス番号を区別する為に用いたものであり、同様にＩＤ１，ＩＤ２，ＩＤ３，及び、ＩＤ４が再生信号のなかで位置するタイミングの違いを用いて区別するものであればどのような方法を用いても良い。
【０２５６】
また、以上述べた方法は、全て、再生信号中のＩＤ１，ＩＤ２，ＩＤ３，及びＩＤ４のタイミングの相違を用いて、各ＩＤを区別したが、本発明はこれに限らず、ＩＤ識別番号３０９が設けられている場合にはこれを再生することにより区別しても良い。
【０２５７】
また、各実施形態において、説明を簡単にするため、ＩＤ１検出回路、ＩＤ２検出回路、ＩＤ３検出回路、及び、ＩＤ４検出回路を独立の回路として併記しているが、すべて同様の機能を持つ回路であり一部の回路を共用しても良く、このことにより本発明は制限されない。
【０２５８】
また、同様に、ＩＤ１ＣＲＣ演算回路、ＩＤ２ＣＲＣ演算回路、ＩＤ３ＣＲＣ演算回路、及び、ＩＤ４ＣＲＣ演算回路の一部の回路は共用しても良く、このことにより本発明は制限されない。
【０２５９】
その他の回路も図示したものは何れも一例であり、本発明はこれに制限されない。
【０２６０】
また、各実施形態を示すブロック図は、全てハ−ドウェア構成として記述したが、一部または全ての機能をソフトウェア構成することも可能である
さらに、本発明は、トラックピッチを狭くして高密度記録を行なう記録媒体であって、ＩＤ部に相対的に大きなマ−クを記録し、デ−タ部に相対的に小さなマ−クを記録し、ＩＤ部のマ−クをトラックの境界または境界延長線上に配置し、かつ、トラックの両側に同時にマ−クが存在しないように設けている記録媒体やその記録再生装置であれば、光ディスク以外でも、あるいはランド／グル−ブ記録以外の方式を用いた光ディスク，１スパイラル方式の光ディスク，トラックが同心円状に配置される光ディスクにおいても用いることができる。例えば、グル−ブのみにユ−ザデ−タを記録し、ランドにはユ−ザデ−タを記録せず、ランドの幅はグル−ブに比べて相対的に狭くして高密度化を図る光ディスクで、かつ、アドレス情報を含んだ相対的に大きなプリピットをランドの中央に配置して隣接する２つのグル−ブで共用する場合に、このプリピットを共有する２つのトラック（グル−ブ）を識別するのに用いることができる。
【０２６１】
また、例えば磁気ディスク装置や磁気テ−プ装置において、ＩＤ部にユ−ザデ−タ領域に比べて相対的に大きなマ−クを記録する場合で、かつ、ＩＤ部のマ−クを隣接する２トラックで共用する場合に用いることができる。
【０２６２】
ここで、１スパイラル方式やトラックが同心円状配置される記録媒体に以上述べた実施形態を適用する場合には、実施形態の図やその説明においてランドとグル−ブという表現を、例えば偶数番目のトラックと奇数番目のトラックといった表現に読み変えることができる。またランド／グル−ブ記録以外の２スパイラル方式に以下の実施形態を適用する場合には、実施形態の図やその説明においてランドとグル−ブという表現を、例えば第一スパイラルと第二スパイラルといった表現に読み変えることができる。
【０２６３】
また、記録媒体として光ディスクを用いた場合のデ−タの記録マ−クとしては、どのようなものを用いてもよいが、例えば，媒体上に相変化により反射率の異なる２種類の状態を形成する相変化記録方式や、反射光のカ−回転角を検出する光磁気記録方式を用いてもよい。
【０２６４】
また、ＩＤ情報を記録するプリピット部としては、同様にどのような方式を用いてもよいが、媒体上に機械的な穴をあけて穴のある部分と無い部分の反射率の違いを検知する穴あけ方式を用いてもよい。
【０２６５】
また、記録媒体は、記録単位であるＩＤ部とデ−タ部からなるセクタに分割され、記録媒体への記録再生はセクタを単位として行う。
【０２６６】
さらに、上述した各実施形態は、情報記録媒体として光ディスクの例を示し、情報記録媒体を用いる記録再生装置として、光ディスク装置の例を示して説明したが、情報記録媒体としては、アドレス情報を含むマークをトラックと隣接トラックの間に有するものであれば、光ディスク以外の記録媒体にも適用できるものであり、また、記録再生装置としても、光ディスク装置以外の記録再生装置にも適用できるものである。
【０２６７】
【発明の効果】
本発明によれば、情報記録媒体をトラックピッチの狭い高密度タイプであって、しかも、トラックの区別の可能なものとできる。
【図面の簡単な説明】
【図１】本発明の一実施形態による情報記録媒体である光ディスクの記録トラックの説明図である。
【図２】本発明の一実施形態による光ディスクの表面のプリピット部近傍の部分拡大図である。
【図３】本発明の一実施形態による記録再生装置である光ディスク装置のブロック図である。
【図４】本発明の一実施形態による光ディスク装置の記録時のタイムチャートである。
【図５】図２に示した本発明の一実施形態による光ディスクから再生される再生信号の波形図である。
【図６】本発明の第２の実施形態による記録再生装置である光ディスク装置のブロック図である。
【図７】本発明の第３の実施形態による記録再生装置である光ディスク装置のブロック図である。
【図８】本発明の他の実施形態による情報記録媒体である光ディスクの表面のプリピット部近傍の部分拡大図である。
【図９】本発明の第４の実施形態による記録再生装置である光ディスク装置のブロック図である。
【図１０】本発明の第４の実施形態による光ディスク装置の記録時のタイムチャートである。
【図１１】図８に示した本発明の他の実施形態による光ディスクから再生される再生信号の波形図である。
【図１２】本発明の第５の実施形態による記録再生装置である光ディスク装置のブロック図である。
【図１３】本発明の第６の実施形態による記録再生装置である光ディスク装置のブロック図である。
【図１４】本発明の第６の実施形態による記録再生装置である光ディスク装置におけるセレクタ回路の切り替え条件の説明図である。
【符号の説明】
１…デ−タ部，  ２…ＩＤ部，  ４…ランド
５…グル−ブ，  ６…記録マ−ク，  ７…プリピット
１０…光ディスク，  ３１…再生信号，  ３３…セクタパルス
５６…レ−ザ光線駆動回路，  ５７…レ−ザ光源，  ５８…受光部
５９…ＩＤ１検出回路，  ６０…ＩＤ２検出回路
６１…セクタマ−ク検出回路，  ６２，６３，８８，８９，１２１…比較回路
７５…復調回路，  ８２…ＩＤ３検出回路，  ８３…ＩＤ４検出回路
９３…ＩＤ１ＣＲＣ演算回路，  ９４…ＩＤ２ＣＲＣ演算回路
９５…ＩＤ３ＣＲＣ演算回路，  ９６…ＩＤ４ＣＲＣ演算回路
１０１，１０２，１０３，１０４，１２７，１２８…演算回路
１２０，１３０…セレクタ回路
８０１，８０２，８０４，８０６…コントロ−ラ
【図１】
0003773991.tif 000002
【図２】
0003773991.tif 000003
【図３】
0003773991.tif 000004
【図４】
0003773991.tif 000005
【図５】
0003773991.tif 000006
【図６】
0003773991.tif 000007
【図７】
0003773991.tif 000008
【図８】
0003773991.tif 000009
【図９】
0003773991.tif 000010
【図１０】
0003773991.tif 000011
【図１１】
0003773991.tif 000012
【図１２】
0003773991.tif 000013
【図１３】
0003773991.tif 000014
【図１４】
0003773991.tif 000015